(57)【要約】【課題】  低圧洗浄プログラムでは、洗浄工程での運転時間を単に延長していたので、洗浄時間が非常に長くなり、その分食器洗浄機の消費電力量も多くなるという問題があった。【解決手段】標準洗浄工程と標準すすぎ工程を実行させる標準洗浄モードと、標準洗浄工程よりも洗浄ポンプ６ａの出力を低下させ、標準洗浄工程よりも工程時間が長い静音洗浄工程と標準すすぎ工程よりも洗浄ポンプ６ａの出力を低下させ、標準すすぎ工程よりも工程時間が長い静音すすぎ工程を実行させる静音洗浄モードの選択が可能な洗浄モード選択手段を設け、標準洗浄工程の工程時間に対する静音洗浄工程の工程時間の比率を、標準すすぎ工程の工程時間に対する静音すすぎ工程の工程時間の比率よりも大きくした。【選択図】        図９
2008006138.tif 000002
【特許請求の範囲】
【請求項１】
被洗浄物を収容する洗浄槽と、
該洗浄槽底部の一部に形成された凹状形状の洗浄水貯水部と、
該洗浄水貯水部に貯水された洗浄水を被洗浄物に向けて噴射する回転洗浄ノズルと、
該回転洗浄ノズルに洗浄水を圧送するポンプと、
該ポンプに連通し、前記洗浄水貯水部の下方に配設された導水口と、
前記ポンプを制御する制御手段と、
標準洗浄工程と標準すすぎ工程を実行させる標準洗浄モードと、前記標準洗浄工程よりも前記ポンプの出力を低下させ、前記標準洗浄工程よりも工程時間が長い静音洗浄工程と前記標準すすぎ工程よりも前記ポンプの出力を低下させ、前記標準すすぎ工程よりも工程時間が長い静音すすぎ工程を実行させる静音洗浄モードの選択が可能な洗浄モード選択手段と、を有し、
前記標準洗浄工程の工程時間に対する前記静音洗浄工程の工程時間の比率を、前記標準すすぎ工程の工程時間に対する前記静音すすぎ工程の工程時間の比率よりも大きくしたことを特徴とする食器洗浄機。
【請求項２】
前記標準すすぎ工程は、複数のすすぎ工程を有し、
前記静音すすぎ工程は、前記標準すすぎ工程の複数のすすぎ工程に対応する複数のすすぎ工程を有し、
前記静音すすぎ工程は、前記標準すすぎ工程と比較して、前記複数のすすぎ工程のうち最後のすすぎ工程のみ工程時間を長くしたことを特徴とする請求項１記載の食器洗浄機。
【請求項３】
前記制御手段は、前記静音洗浄工程および前記静音すすぎ工程において、間欠噴射を行うことなく、前記ポンプを連続的に運転するように制御し、前記回転洗浄ノズルから連続的に洗浄水を噴射させるようにしたことを特徴とする請求項１記載の食器洗浄機。
【請求項４】
前記洗浄水貯水部に貯水されている洗浄水を加熱する温水ヒータを、さらに有し、
前記制御手段は、前記温水ヒータの出力を制御し、
前記制御手段は、
前記静音洗浄工程における前記温水ヒータの出力を、前記標準洗浄工程の前記温水ヒータの出力よりも低くなるように制御することを特徴とする請求項１記載の食器洗浄機。
【請求項５】
前記標準洗浄工程の前記温水ヒータの出力に対する前記静音洗浄工程の前記温水ヒータの出力の比率を、前記標準すすぎ工程の前記温水ヒータの出力に対する前記静音すすぎ工程の前記温水ヒータの出力の比率よりも小さくしたことを特徴とする請求項４記載の食器洗浄機。
【請求項６】
前記洗浄槽内に供給された洗浄水の水位を検出する水位検出手段を、さらに有し、
前記静音洗浄工程および前記静音すすぎ工程での洗浄槽内の洗浄水の水位を、前記標準洗浄工程および前記標準すすぎ工程での洗浄槽内の洗浄水の水位よりも低水位にしたことを特徴とする請求項１記載の食器洗浄機。
【請求項７】
運転の開始時間もしくは終了時間を設定する予約時間設定手段を、さらに有し、
該予約時間設定手段により前記標準洗浄モードもしくは前記静音洗浄モードの運転開始時間または終了時間が設定された場合には、前記標準洗浄工程もしくは前記静音洗浄工程の工程時間が延長され、
該予約時間設定手段により前記静音洗浄モードの運転開始時間または終了時間が設定された場合の前記静音洗浄工程の延長時間を、該予約時間設定手段により前記標準洗浄モードの運転開始時間または終了時間が設定された場合の前記標準洗浄工程の延長時間よりも長くしたことを特徴とする請求項１記載の食器洗浄機。
【請求項８】
前記洗浄水貯水部に貯水されている洗浄水を加熱する温水ヒータと、
運転の開始時間もしくは終了時間を設定する予約時間設定手段を、さらに有し、
前記制御手段は、前記温水ヒータの出力を制御し、
該予約時間設定手段により前記静音洗浄モードの運転開始時間または終了時間が設定された場合には、前記静音洗浄工程の工程時間が延長され、
前記制御手段は、
前記予約時間設定手段により前記静音洗浄モードの運転開始時間または終了時間が設定された場合における前記静音洗浄工程の延長時間の前記温水ヒータの出力を、該予約時間設定手段により前記静音洗浄モードの運転開始時間または終了時間が設定されない場合における前記静音洗浄工程の前記温水ヒータの出力よりも高くなるように制御することを特徴とする請求項１記載の食器洗浄機。
【請求項９】
前記洗浄水貯水部に貯水されている洗浄水を加熱する温水ヒータと、をさらに有し、
前記標準すすぎ工程は、複数のすすぎ工程を有し、
前記静音すすぎ工程は、前記標準すすぎ工程の複数のすすぎ工程に対応する複数のすすぎ工程を有し、
前記予約時間設定手段により前記静音洗浄モードの運転開始時間または終了時間が設定された場合には、前記静音すすぎ工程の複数のすすぎ工程のうちの最後のすすぎ工程の工程時間が延長され、
前記制御手段は、
前記予約時間設定手段により前記静音洗浄モードの運転開始時間または終了時間が設定された場合には、前記静音すすぎ工程の最後のすすぎ工程において、前記温水ヒータにより、前記洗浄水貯水部に貯水されている洗浄水を加熱させることを特徴とする請求項７または請求項８記載の食器洗浄機。
【請求項１０】
前記洗浄水貯水部に貯水されている洗浄水を加熱する温水ヒータと、をさらに有し、
該予約時間設定手段により前記静音洗浄モードの運転開始時間または終了時間が設定された場合には、前記静音洗浄モードのすすぎ工程の時間が延長され、
前記制御手段は、
前記予約時間設定手段により前記静音洗浄モードの運転開始時間または終了時間が設定された場合における前記静音すすぎ工程の延長時間の前記温水ヒータの出力を、該予約時間設定手段により前記静音洗浄モードの運転開始時間または終了時間が設定されない場合における前記静音すすぎ工程の前記温水ヒータの出力よりも高くなるように制御することを特徴とする請求項７または請求項８記載の食器洗浄機。
【発明の詳細な説明】
【技術分野】
【０００１】
本発明は、洗浄槽内に収容された食器に洗浄水を噴射して、食器の洗浄を行う食器洗浄機に関する。詳しくは、食器を洗浄する際に発生する洗浄騒音を低減させて、食器の洗浄を行う食器洗浄機に関する。
【背景技術】
【０００２】
従来、食器を洗浄する際に発生する洗浄騒音を低減させるために、以下のような食器洗浄機が提案されていた。この食器洗浄機には、ノズルの噴射孔から噴射される洗浄水の噴射圧力を低圧にして食器等を洗浄する低圧洗浄プログラムが設けられ、低圧洗浄プログラムが選択されることにより、洗浄工程およびすすぎ工程において、使用者などが食器洗浄機の洗浄騒音を不快に感じないレベルまで、ノズルの噴射孔から噴射される洗浄水の噴射圧力が低圧になるように、洗浄ポンプの出力が制御され、その一方で、洗浄ポンプの出力低下による洗浄性能の低下を担保させるために洗浄時間を延長させるというものであった。これにより、食器を洗浄する際に発生する洗浄騒音を低減させるとともに、必要な洗浄性能が確保されていた。
【０００３】
詳述すると、この食器洗浄機の低圧洗浄プログラムでは、洗浄工程およびすすぎ工程において、ノズルから噴射される洗浄水の噴射圧力を低下させて、洗浄騒音を低減させるとともに、必要な洗浄性能を確保するために、洗浄工程およびすすぎ工程で洗浄水が泡立っているときには、洗浄水に含まれる空気により、洗浄水と食器等の衝突音や噴射された洗浄水が洗浄槽底部に存在する洗浄水に衝突する滴下音等が低減されることに着目して、若干高い噴射圧力で洗浄水を噴射させて、洗浄工程の一部およびすすぎ工程の一部で洗浄騒音を低減させた状態で洗浄性能の向上を図るという技術が知られていた。
【０００４】
【特許文献１】特開２０００−３１６７７９号公報
【発明の開示】
【発明が解決しようとする課題】
【０００５】
しかしながら、従来の食器洗浄機の低圧洗浄プログラムでは、洗浄水が泡立っているときに、若干高い噴射圧力で洗浄水を噴射させることにより、洗浄騒音の低減と必要な洗浄性能の確保の両立を図るものであったが、洗浄騒音の低減と必要な洗浄性能の確保を両立させるという観点では、まだ十分なものとはいえなかった。つまり、洗浄水が泡立っているときといっても、洗浄水の温度が異なることにより、また食器の置き方や量により大きく異なり、洗浄水が泡立っているときを一定の時に特定することができない。これにより、洗浄水が泡立っていないにも拘らず、ノズルから高い噴射圧力で洗浄水が噴射され、その洗浄騒音により使用者などに不快感を与えるという問題があった。また、この従来技術では、洗浄ポンプの出力の低下に伴う影響を詳細に分析した上で洗浄工程およびすすぎ工程の運転時間が設定されておらず、洗浄騒音の低減および洗浄性能の確保した上で、洗浄工程およびすすぎ工程の運転時間を如何に設定すれば最適になるかという観点で何ら検討されていない。これにより、洗浄工程での洗浄性能と、すすぎ工程でのすすぎ性能（洗剤除去性能）をそれぞれ単独で最適化した場合には、必要以上に洗浄時間およびすすぎ時間が長くなり、使い勝手の悪化のみならず、食器洗浄機の消費電力量も多くなるという問題があった。
【０００６】
本発明は上記問題点に鑑みてなされたもので、洗浄工程およびすすぎ工程での洗浄騒音を低減させるとともに、洗浄工程およびすすぎ工程の総工程時間を無用に長くすることなく、実用上必要な洗浄性能およびすすぎ性能を確保することができる食器洗浄機を提供することを目的とする。
【課題を解決するための手段】
【０００７】
上記課題を解決し上記目的を達成するために、本発明のうち第１の態様に係るものは、被洗浄物を収容する洗浄槽と、洗浄槽底部の一部に形成された凹状形状の洗浄水貯水部と、洗浄水貯水部に貯水された洗浄水を被洗浄物に向けて噴射する回転洗浄ノズルと、回転洗浄ノズルに洗浄水を圧送するポンプと、ポンプに連通し、洗浄水貯水部の下方に配設された導水口と、ポンプを制御する制御手段と、標準洗浄工程と標準すすぎ工程を実行させる標準洗浄モードと、標準洗浄工程よりもポンプの出力を低下させ、標準洗浄工程よりも工程時間が長い静音洗浄工程と標準すすぎ工程よりもポンプの出力を低下させ、標準すすぎ工程よりも工程時間が長い静音すすぎ工程を実行させる静音洗浄モードの選択が可能な洗浄モード選択手段と、を有し、標準洗浄工程の工程時間に対する静音洗浄工程の工程時間の比率を、標準すすぎ工程の工程時間に対する静音すすぎ工程の工程時間の比率よりも大きくしたことを特徴とする。
【０００８】
この構成によれば、静音洗浄モードでは、標準洗浄工程および標準すすぎ工程よりもポンプの出力を低下させているので、ポンプの駆動モータの駆動音や回転洗浄ノズルから噴射された洗浄水の被洗浄物への衝突音などの洗浄騒音を確実に低減できる。
【０００９】
また、洗浄工程、すすぎ工程の工程時間を長くし、その長くなったすすぎ工程の工程時間の一部を静音洗浄工程に割り振る形で標準洗浄工程の工程時間に対する静音洗浄工程の工程時間の比率を、標準すすぎ工程の工程時間に対する静音すすぎ工程の工程時間の比率よりも大きくしているので、たとえポンプの出力を低下させても、被洗浄物に付着している汚れが洗浄水に長く浸され、被洗浄物に付着している残菜などの汚れが膨潤することにより、被洗浄物に付着している汚れを容易に洗い落とすことができる。これにより、ポンプの出力を低下させても、静音洗浄工程で十分な洗浄性能が確保できる。つまり、標準洗浄工程のようにポンプの出力が高い場合には、回転洗浄ノズルから高い噴射圧の洗浄水を噴射させて、被洗浄物に付着している残菜などの汚れを剥ぎ取ることができるが、静音洗浄工程にようにポンプの出力を低下させている場合には、被洗浄物に付着している汚れを剥ぎ取るという効果が期待できない。この場合でも、静音洗浄工程では、長くなったすすぎ工程の工程時間の一部を静音洗浄工程に割り振る形で標準洗浄工程の工程時間に対する静音洗浄工程の工程時間の比率を、標準すすぎ工程の工程時間に対する静音すすぎ工程の工程時間の比率よりも大きくしているので、たとえポンプの出力を低下させても、被洗浄物に付着している汚れが洗浄水に長く浸され、被洗浄物に付着している残菜などの汚れが膨潤することにより、被洗浄物に付着している汚れを容易に洗い落とすことができる。このように、静音洗浄工程では、被洗浄物に付着している汚れを剥ぎ取るのでなく、被洗浄物に付着している残菜などの汚れを膨潤させて、被洗浄物に付着している汚れを洗い流すことができる。これにより、ポンプの出力を低下させても、十分な洗浄性能が確保できる。
【００１０】
また、静音すすぎ工程では、静音洗浄工程で被洗浄物に付着している残菜などの汚れを除去していれば、あとは、被洗浄物に付着している洗剤などを除去するだけであることから、たとえポンプの出力を低下させても、十分に被洗浄物に付着している洗剤などを除去することができる。
【００１１】
このことから、長くなったすすぎ工程の工程時間の一部を静音洗浄工程に割り振ることにより静音洗浄工程で被洗浄物に付着している汚れをしっかり洗浄することができ、必要な洗浄性能が確保できるとともに、静音すすぎ工程においても必要なすすぎ性能を確保することができる。このように、静音洗浄工程と静音すすぎ工程の工程時間の配分を最適な配分にすることにより、静音洗浄工程と静音すすぎ工程の総工程時間も無用に長くなることがない。
【００１２】
以上説明したように、上記構成によれば、静音洗浄工程および静音すすぎ工程での洗浄騒音を低減することができるとともに、静音洗浄工程および静音すすぎ工程の総工程時間を無用に長くすることなく、実用上必要な洗浄性能とすすぎ性能を確保することができる。
【００１３】
本発明のうち第２の態様に係るものは、第１の態様に係る食器洗浄機であって、標準すすぎ工程は、複数のすすぎ工程を有し、静音すすぎ工程は、標準すすぎ工程の複数のすすぎ工程に対応する複数のすすぎ工程を有し、静音すすぎ工程は、標準すすぎ工程と比較して、複数のすすぎ工程のうち最後のすすぎ工程のみ工程時間を長くしたことを特徴とする。
【００１４】
この構成によれば、静音すすぎ工程は、標準すすぎ工程と比較して、複数のすすぎ工程のうち最後のすすぎ工程のみ工程時間を長くしているので、静音すすぎ工程の総工程時間を無用に長くすることがなく、静音すすぎ工程において必要なすすぎ性能を確保することができる。つまり、すすぎ工程の最後のすすぎ工程以外のすすぎ工程では、大雑把に被洗浄物に付着している汚れや洗剤を流し落とすことと、その流し落とされた洗剤などを含んだ洗浄水を排水し、綺麗な洗浄水と入れ替えることだけに注力させることから工程時間を長くせず、一方、最後のすすぎ工程では、綺麗な洗浄水で被洗浄物に付着している汚れ（油分も含む）のみならず洗剤をも確実に集中して流し落とすために工程時間を長くしている。これにより、すすぎ工程の工程時間を無用に長くすることなく、必要なすすぎ性能を確保することができる。また、すすぎ工程の初期段階では、洗剤などにより洗浄水が泡立ち、その気泡が洗浄水とともにポンプに圧送されることによりポンプ圧が低くなるが、最後のすすぎ工程では、洗浄水内にほとんど気泡が存在しないためポンプ圧が高くなり、被洗浄物に付着している汚れや洗剤を完全に除去するためには、この最後のすすぎ工程の工程時間を長くするのが有効である。
【００１５】
本発明のうち第３の態様に係るものは、第１の態様に係る食器洗浄機であって、制御手段は、静音洗浄工程および静音すすぎ工程において、間欠噴射を行うことなく、ポンプを連続的に運転するように制御し、回転洗浄ノズルから連続的に洗浄水を噴射させるようにしたことを特徴とする。
【００１６】
この構成によれば、静音洗浄工程および静音すすぎ工程において、回転洗浄ノズルから連続的に洗浄水を噴射させているので、洗浄水が被洗浄物に衝突する際の衝突音が断続的に発生せず、衝突音の振動音が生じないので洗浄騒音の低減を図ることができる。また、間欠噴射の場合には、ポンプの特性により、噴射初期に回転洗浄ノズルから一段と高い噴射圧の洗浄水が噴射され、比較的高い運動エネルギーを持った洗浄水が被洗浄物に衝突し、その際に大きな衝突音が発生するが、回転洗浄ノズルから連続的に洗浄水を噴射させる連続噴射では、このような大きな衝突音の発生も抑制でき静音性能を高めることができる。
【００１７】
また、静音洗浄工程および静音すすぎ工程では、ポンプの出力を低下させているが、この場合でも、工程時間を長くして、回転洗浄ノズルから連続的に洗浄水を噴射させているので、長い時間回転洗浄ノズルから多量の洗浄水が噴射され、長い時間被洗浄物に付着している汚れが洗浄水と接触され、被洗浄物に付着している汚れや洗剤を確実に落とすことができる。これにより、洗浄工程およびすすぎ工程の工程時間を無用に長くすることなく、洗浄性能の確保と洗浄騒音の低減の両面において好適なものとなる。
【００１８】
本発明のうち第４の態様に係るものは、第１の態様に係る食器洗浄機であって、洗浄水貯水部に貯水されている洗浄水を加熱する温水ヒータを、さらに有し、制御手段は、温水ヒータの出力を制御し、制御手段は、静音洗浄工程における温水ヒータの出力を、標準洗浄工程の温水ヒータの出力よりも低くなるように制御することを特徴とする。
【００１９】
この構成によれば、静音洗浄工程における温水ヒータの出力を、標準洗浄工程の温水ヒータの出力よりも低くなるように制御しているので、洗浄性能を犠牲にすることなく消費電力を軽減することができる。すなわち、第１の態様により、長くなったすすぎ工程の工程時間の一部を静音洗浄工程に割り振る形で静音洗浄工程の工程時間を標準洗浄工程の工程時間よりも十分に長く設定しているので、その工程時間が長くなった分、洗浄水貯水部に貯水されている洗浄水が温水ヒータにより長く加熱され、静音洗浄工程における温水ヒータの出力を、標準洗浄工程の温水ヒータの出力よりも低くなるように制御しても、確実に洗剤が活性化する温度（５０℃〜５５℃）に近づけることができる。これにより、無用なエネルギー投入を抑制でき、静音洗浄工程における消費電力を軽減することができる。またその反面、静音洗浄工程における温水ヒータの出力を、標準洗浄工程の温水ヒータの出力よりも低くしても、静音洗浄工程の工程時間を標準洗浄工程の工程時間よりも長くしているので、その工程時間が長くなった分、被洗浄物に付着している汚れに洗浄水を十分接触させることができ、被洗浄物に付着している残菜などが膨潤し、被洗浄物に付着している汚れを容易に洗い落とすことができる。これにより、十分な洗浄性能を確保することができる。
【００２０】
本発明のうち第５の態様に係るものは、第４の態様に係る食器洗浄機であって、標準洗浄工程の温水ヒータの出力に対する静音洗浄工程の温水ヒータの出力の比率を、標準すすぎ工程の温水ヒータの出力に対する静音すすぎ工程の温水ヒータの出力の比率よりも小さくしたことを特徴とする。
【００２１】
この構成によれば、標準洗浄工程の温水ヒータの出力に対する静音洗浄工程の温水ヒータの出力の比率を、標準すすぎ工程の温水ヒータの出力に対する静音すすぎ工程の温水ヒータの出力の比率よりも小さくしているので、洗浄性能およびすすぎ性能を犠牲にすることなく消費電力を軽減することができる。すなわち、第１の態様により、長くなったすすぎ工程の工程時間の一部を静音洗浄工程に割り振る形で標準洗浄工程の工程時間に対する静音洗浄工程の工程時間の比率を、標準すすぎ工程の工程時間に対する静音すすぎ工程の工程時間の比率よりも大きくして、静音洗浄工程の工程時間を長くしているので、静音洗浄工程の工程時間配分が長くなった分、洗浄水貯水部に貯水されている洗浄水が温水ヒータにより長く加熱され、標準洗浄工程の温水ヒータの出力に対する静音洗浄工程の温水ヒータの出力の比率を、標準すすぎ工程の温水ヒータの出力に対する静音すすぎ工程の温水ヒータの出力の比率よりも小さくしても、確実に洗剤が活性化する温度（５０℃〜５５℃）に近づけることができる。これにより、無用なエネルギー投入を抑制でき、静音洗浄工程における消費電力を軽減することができる。またその反面、標準洗浄工程の温水ヒータの出力に対する静音洗浄工程の温水ヒータの出力の比率を、標準すすぎ工程の温水ヒータの出力に対する静音すすぎ工程の温水ヒータの出力の比率よりも小さくしても、標準洗浄工程の工程時間に対する静音洗浄工程の工程時間の比率を、標準すすぎ工程の工程時間に対する静音すすぎ工程の工程時間の比率よりも大きくして、静音洗浄工程の工程時間配分を長くしているので、その工程時間配分が長くなった分、被洗浄物に付着している汚れが温水ヒータにより加熱された洗浄水に長く浸されるため、被洗浄物に付着している残菜などの汚れが膨潤し、被洗浄物に付着している汚れを容易に洗い落とすことができる。これにより、十分な洗浄性能を確保することができる。
【００２２】
また、すすぎ工程では、静音すすぎ工程での温水ヒータの出力の低下を抑制することで、洗浄水が高温になって被洗浄物に付着している洗剤が洗浄水に溶け込みやすくなり、被洗浄物に付着している汚れや洗剤を完全に除去することができる。これにより、洗浄時間を無用に延長することなく、高いすすぎ性能を確保できる。
【００２３】
本発明のうち第６の態様に係るものは、第１の態様に係る食器洗浄機であって、洗浄槽内に供給された洗浄水の水位を検出する水位検出手段を、さらに有し、静音洗浄工程および静音すすぎ工程での洗浄槽内の洗浄水の水位を、標準洗浄工程および標準すすぎ工程での洗浄槽内の洗浄水の水位よりも低水位にしたことを特徴とする。
【００２４】
この構成によれば、静音洗浄工程および静音すすぎ工程での洗浄槽内の洗浄水の水位を、標準洗浄工程および標準すすぎ工程での洗浄槽内の洗浄水の水位よりも低水位にしているので、洗浄水を節水することができる。すなわち、静音洗浄工程および静音すすぎ工程においては、標準洗浄工程および静音すすぎ工程よりもポンプの出力を低下させているので、洗浄水量を減らしても、ポンプへの空気の巻き込みを生ずることなしに継続してポンプを運転することができる。これにより、洗浄水を節水することができる。
【００２５】
本発明のうち第７の態様に係るものは、第１の態様に係る食器洗浄機であって、運転の開始時間もしくは終了時間を設定する予約時間設定手段を、さらに有し、予約時間設定手段により標準洗浄モードもしくは静音洗浄モードの運転開始時間または終了時間が設定された場合には、標準洗浄工程もしくは静音洗浄工程の工程時間が延長され、予約時間設定手段により静音洗浄モードの運転開始時間または終了時間が設定された場合の静音洗浄工程の延長時間を、予約時間設定手段により標準洗浄モードの運転開始時間または終了時間が設定された場合の標準洗浄工程の延長時間よりも長くしたことを特徴とする。
【００２６】
この構成によれば、予約時間設定手段により静音洗浄モードの運転開始時間または終了時間が設定された場合の静音洗浄工程の延長時間を、予約時間設定手段により標準洗浄モードの運転開始時間または終了時間が設定された場合の標準洗浄工程の延長時間よりも長くしているので、静音洗浄工程（予約時間設定時）の洗浄性能を確保するために必要な工程時間が十分確保され、ポンプの出力を低下させても、被洗浄物にこびりついた残菜などを確実に洗い落とすことができる。つまり、予約時間設定手段により洗浄モードの運転開始時間または終了時間が設定される場合には、通常残菜などが付着した被洗浄物が所定の時間放置されることになり、被洗浄物に残菜がこびりついた状態になるが、この場合でも、予約時間設定手段により静音洗浄モードの運転開始時間または終了時間が設定された場合の静音洗浄工程の延長時間を、予約時間設定手段により標準洗浄モードの運転開始時間または終了時間が設定された場合の標準洗浄工程の延長時間よりも長くしているので、静音洗浄工程の工程時間がその分長くなり、被洗浄物にこびりついた残菜などの汚れが洗浄水にさらに長く浸されるため、被洗浄物にこびりついた残菜などがさらに膨潤し、ポンプの出力を低下させても、被洗浄物にこびりついた汚れを容易に洗い落とすことができる。これにより、予約時間設定時においても、十分な洗浄性能を確保することができる。
【００２７】
本発明のうち第８の態様に係るものは、第１の態様に係る食器洗浄機であって、洗浄水貯水部に貯水されている洗浄水を加熱する温水ヒータと、運転の開始時間もしくは終了時間を設定する予約時間設定手段を、さらに有し、制御手段は、温水ヒータの出力を制御し、予約時間設定手段により静音洗浄モードの運転開始時間または終了時間が設定された場合には、静音洗浄工程の工程時間が延長され、制御手段は、予約時間設定手段により静音洗浄モードの運転開始時間または終了時間が設定された場合における静音洗浄工程の延長時間の温水ヒータの出力を、予約時間設定手段により静音洗浄モードの運転開始時間または終了時間が設定されない場合における静音洗浄工程の温水ヒータの出力よりも高くなるように制御することを特徴とする。
【００２８】
この構成によれば、静音洗浄工程の延長時間の温水ヒータの出力を、予約時間設定手段により静音洗浄モードの運転開始時間または終了時間が設定されない場合における静音洗浄工程の温水ヒータの出力よりも高くなるように制御されるので、ポンプの出力を低下させても、被洗浄物にこびりついた残菜などを確実に洗い落とすことができる。つまり、予約時間設定手段により洗浄モードの運転開始時間または終了時間が設定される場合には、通常残菜などが付着した被洗浄物が所定の時間放置されることになり、被洗浄物に残菜がこびりついた状態になるが、この場合でも、予約時間設定手段により静音洗浄モードの運転開始時間または終了時間が設定された場合には、静音洗浄工程の工程時間が延長され、さらに、静音洗浄工程の延長時間の温水ヒータの出力を、予約時間設定手段により静音洗浄モードの運転開始時間または終了時間が設定されない場合における静音洗浄工程の温水ヒータの出力よりも高くなるように制御しているので、被洗浄物にこびりついた残菜などが静音洗浄工程時（予約時間設定なし）よりも高温の洗浄水にさらに長く浸されるため、被洗浄物にこびりついた残菜などの汚れがさらに膨潤し、ポンプの出力を低下させても、被洗浄物にこびりついた汚れを容易に洗い落とすことができる。これにより、予約時間設定時においても、十分な洗浄性能を確保することができる。
【００２９】
本発明のうち第９の態様に係るものは、第７または８の態様に係る食器洗浄機であって、洗浄水貯水部に貯水されている洗浄水を加熱する温水ヒータと、をさらに有し、標準すすぎ工程は、複数のすすぎ工程を有し、静音すすぎ工程は、標準すすぎ工程の複数のすすぎ工程に対応する複数のすすぎ工程を有し、予約時間設定手段により静音洗浄モードの運転開始時間または終了時間が設定された場合には、静音すすぎ工程の複数のすすぎ工程のうちの最後のすすぎ工程の工程時間が延長され、制御手段は、予約時間設定手段により静音洗浄モードの運転開始時間または終了時間が設定された場合には、静音洗浄工程の最後のすすぎ工程において、温水ヒータにより、洗浄水貯水部に貯水されている洗浄水を加熱させることを特徴とする。
【００３０】
この構成によれば、予約時間設定手段により静音洗浄モードの運転開始時間または終了時間が設定された場合には、静音すすぎ工程の複数のすすぎ工程のうちの最後のすすぎ工程の工程時間が延長されるので、静音すすぎ工程の総工程時間を無用に長くすることがなく、静音すすぎ工程において必要なすすぎ性能を確保することができる。すなわち、すすぎ工程の最後のすすぎ工程以外のすすぎ工程では、大雑把に被洗浄物に付着している汚れや洗剤を流し落とすことと、その長い落とされた洗剤などを含んだ洗浄水を排水し、綺麗な洗浄水と入れ替えることだけに注力させることから工程時間を延長することなく洗浄水を加熱せず、一方、最後のすすぎ工程では、高温の洗浄水で被洗浄物に付着している汚れ（油分も含む）のみならず洗剤をも確実に集中して流し落とすために工程時間を延長しながら洗浄水を加熱して、長い時間高温の洗浄水を被洗浄物に噴射させている。よって、最後のすすぎ工程で、被洗浄物に付着している洗剤が洗浄水に溶け込みやすくなり、被洗浄物に付着している洗剤が流し落としやすくなる。これにより、予約時間設定時においても、必要なすすぎ性能を確保することができるとともに、すすぎ工程の工程時間を無用に長くすることもない。また、すすぎ工程の初期段階では、洗剤などにより洗浄水が泡立ち、その気泡が洗浄水とともにポンプに圧送されることによりポンプ圧が低くなるが、最後のすすぎ工程では、洗浄水内にほとんど気泡が存在しないためポンプ圧が高くなり、被洗浄物に付着している汚れや洗剤を完全に除去するためには、この最後のすすぎ工程の工程時間を延長しながら洗浄水を加熱するのが有効である。
【００３１】
本発明のうち第１０の態様に係るものは、第７または８の態様に係る食器洗浄機であって、洗浄水貯水部に貯水されている洗浄水を加熱する温水ヒータと、をさらに有し、予約時間設定手段により静音洗浄モードの運転開始時間または終了時間が設定された場合には、静音洗浄モードのすすぎ工程の時間が延長され、制御手段は、予約時間設定手段により静音洗浄モードの運転開始時間または終了時間が設定された場合における静音すすぎ工程の延長時間の温水ヒータの出力を、予約時間設定手段により静音洗浄モードの運転開始時間または終了時間が設定されない場合における静音すすぎ工程の温水ヒータの出力よりも高くなるように制御することを特徴とする。
【００３２】
この構成によれば、予約時間設定手段により静音洗浄モードの運転開始時間または終了時間が設定された場合には、静音すすぎ工程の延長時間の温水ヒータの出力を、予約時間設定手段により静音洗浄モードの運転開始時間または終了時間が設定されない場合における静音すすぎ工程の温水ヒータの出力よりも高くなるように制御されるので、被洗浄物に付着している洗剤が洗浄水に溶け込みやすくなり、被洗浄物に付着している洗剤が流し落としやすくなる。よって、ポンプの出力を低下させても、被洗浄物に付着している洗剤を容易に流し落とすことができる。これにより、予約時間設定時においても、必要なすすぎ性能を確保することができる。さらに、仮に静音洗浄工程で、被洗浄物にこびりついた残菜などが洗い落とされなかったとしても、予約時間設定手段により静音洗浄モードの運転開始時間または終了時間が設定された場合には、静音すすぎ工程の延長時間の温水ヒータの出力を、予約時間設定手段により静音洗浄モードの運転開始時間または終了時間が設定されない場合における静音すすぎ工程の温水ヒータの出力よりも高くしているので、この静音すすぎ工程で確実に洗い落とすことができ、静音洗浄工程の時間を必要以上に長くする必要がなく、静音洗浄工程と静音すすぎ工程の総工程時間も無用に長くすることがない。
【発明の効果】
【００３３】
以上のように本発明の食器洗浄機によれば、静音洗浄工程および静音すすぎ工程での洗浄騒音を低減することができるとともに、静音洗浄工程および静音すすぎ工程の総工程時間を無用に長くすることなく、実用上必要な洗浄性能およびすすぎ性能を確保することができる。
【発明を実施するための最良の形態】
【００３４】
以下、本発明の食器洗浄機の一実施形態について図面を参照にしながら説明する。図１は、本発明の一実施形態における食器洗浄機の内部構造を示す図である。
【００３５】
図１に示すように、食器洗浄機１には、本体ケース２０と、その内部に備えられた洗浄槽２と、食器を出し入れするための蓋３とが備えられている。洗浄槽２は、食器（被洗浄物）を収容するもので、洗浄槽２の一端面には開口部２１が形成されている。蓋３は、開口部２１に開閉自在に備えられており、使用者が、この蓋３を開放することにより、洗浄槽２内の食器を出し入れすることができる。
【００３６】
洗浄槽２の内部には、食器を収納する食器かご４と、洗浄水を食器に向けて噴射する回転洗浄ノズル５とが備えている。回転洗浄ノズル５は、洗浄槽２の底部に回転自在に取り付けられ、多数の噴射口が形成されている。そして、この回転洗浄ノズル５から食器に向けて洗浄水が噴射されることにより、食器かご４に収納された食器が洗浄される。詳細は後述する。
【００３７】
また、食器洗浄機１には、洗浄槽２の後方上部に形成された給水口１９と、洗浄槽２内に洗浄水を供給するための給水弁９（給水手段）と、水量検出センサ１０（水量検出手段）とが備えられている。給水弁９は、電磁弁であり、この給水弁９が開閉されることにより洗浄槽２内に洗浄水が供給される。すなわち、この給水弁９が開放されることにより、洗浄水の供給源（たとえば、水道、給湯装置など）から、給水口１９を介し、洗浄槽２内に洗浄水が供給される。
【００３８】
水量検出センサ１０は、洗浄槽２内に供給された洗浄水の水位を検出するもので、本実施形態では、フロートスイッチが用いられている。具体的には、水量検出センサ１０は、フロートケース２２と、フロートケース２２の内部に設けたれたフロート２３と、フロート２３の上下の変位を検出する水量検出スイッチ（図示略）とを有している。そして、洗浄槽２内の洗浄水の水位がフロートケース２２内の下点水位になると、下部の水量検出スイッチ（図示略）が「ＯＮ」となり、洗浄槽２内の低水位を検出することができる。また、洗浄槽２内の水位がフロートケース２２内の上点水位になると、上部の水量検出スイッチ（図示略）が「ＯＮ」となり、洗浄槽２内の高水位を検出することができる。このようにして、フロート２３の上下の変位を検出することにより、洗浄槽２内の低水位と高水位を検出することができ、洗浄槽２内に所定の洗浄水を溜めることができる。
なお、本実施形態では、水量検出センサ１０として、フロートスイッチを用いているが、これに限らず、圧力スイッチであってもよい。
【００３９】
洗浄槽２の下部には、洗浄水貯水部１２が形成され、ポンプ６、温水ヒータ７、温水温度センサ８（温水温度検出手段）、排水弁３１が備えられている。  
【００４０】
洗浄水貯水部１２は、洗浄槽２の前方底部に形成され、洗浄槽２の底面部よりも一段と低い凹状形状をなしている。そして、洗浄槽２の底面部に落下した洗浄水は、洗浄水貯水部１２に流れ込んで、洗浄水貯水部１２に貯水される。
【００４１】
温水ヒータ７は、洗浄水を加熱するもので、洗浄水貯水部１２に備えられている。温水温度センサ８は、洗浄水貯水部１２に貯水されている洗浄水の温度を検出するものである。これにより、洗浄水貯水部１２に貯水されている洗浄水は温水ヒータ７により加熱され、その温水ヒータ７により加熱された洗浄水の温度は、温水温度センサ８により検出される。そして、その温水温度センサ８により検出された温度をフィードバックして、さらに洗浄水を加熱することにより洗浄水貯水部１２に貯水されている洗浄水を所定の温度にすることができる。
【００４２】
ポンプ６は、洗浄水貯水部１２に貯水されている洗浄水を回転洗浄ノズル５に圧送する洗浄ポンプ６ａと、洗浄槽２内の洗浄水を後述する排水管に圧送する排水ポンプ６ｂとからなる。そして、洗浄ポンプ６ａを駆動させることより、洗浄水貯水部１２に貯水されている洗浄水を回転洗浄ノズル５から食器に向けて噴射させることができ、また、排水ポンプ６ｂを駆動させることより、洗浄水貯水部１２に貯水されている洗浄水を食器洗浄機１の外部に排水することができる。なお、本実施形態では、洗浄ポンプ６ａと排水ポンプ６ｂとを別体として設けているが、これに限らず、洗浄ポンプ６ａと排水ポンプ６ｂとを一体的に設けてもよい。また、洗浄ポンプ６ａもしくは排水ポンプ６ｂのみでポンプ６としてもよい。
【００４３】
排水弁３１は、電磁弁であり、後述する排水管に設けられている。この排水弁３１が開放されることにより、洗浄槽２に貯水されている洗浄水が食器洗浄機１の外部に排出される。本実施形態では、排水ポンプ６ｂと排水弁３１により排水手段を構成しているが、これに限らず、洗浄水貯水部１２の洗浄水を排出する排水弁３１のみで排水手段を構成してもよい。
【００４４】
洗浄水貯水部１２の下方には、導水口１３が形成され、導水口１３は、洗浄ポンプ６ａに連通する洗浄ポンプ導水口１３ａと、排水ポンプ６ｂに連通する排水ポンプ導水口１３ｂからなる。洗浄ポンプ６ａには、洗浄水貯水部１２の洗浄水を吸い込むための吸込口１４ａと、回転洗浄ノズル５に洗浄水を吐き出すための吐出口１６ａが形成されている。また、排水ポンプ６ｂには、洗浄水貯水部１２の洗浄水を吸い込むための吸込口１４ｂと、後述する排水管に洗浄水を吐き出すための吐出口１６ｂが形成されている。なお、本実施形態では、導水口１３を、洗浄ポンプ導水口１３ａと、それと別個に設けられた排水ポンプ導水口１３ｂとからなるとしたが、これに限らず、洗浄ポンプ導水口１３ａと排水ポンプ導水口１３ｂとを兼用した導水口を構成してもよい。また、洗浄ポンプ導水口１３ａもしくは排水ポンプ導水口１３ｂのみで導水口としてもよい。
【００４５】
洗浄水貯水部１２の下方の洗浄ポンプ導水口１３ａは、洗浄ポンプ吸込管１５ａにより、洗浄ポンプ６ａの吸込口１４ａと連結されている。また、洗浄ポンプ６ａの吐出口１６ａは、吐出管１７により、回転洗浄ノズル５と連結されている。これにより、洗浄水貯水部１２に貯水されている洗浄水が、洗浄ポンプ６ａの駆動力により、回転洗浄ノズル５に圧送される。
【００４６】
また、洗浄水貯水部１２の下方の排水ポンプ導水口１３ｂは、排水ポンプ吸込管１５ｂにより、排水ポンプ６ｂの吸込口１４ｂと連結されている。また、排水ポンプ６ｂの吐出口１６ｂは、排水管２４と連結されている。これにより、洗浄水貯水部１２に貯水されている洗浄水が、排水ポンプ６ｂの駆動力により、排水管２４を介して、食器洗浄機１の外部に排水される。
【００４７】
本実施形態では、洗浄ポンプ６ａには洗浄ポンプ用駆動モータ（図示略）が備えられ、また、排水ポンプ６ｂには排水ポンプ用駆動モータ（図示略）が備えられている。しかしながら、これに限らず、洗浄ポンプ６ａと排水ポンプ６ｂとを一体的に構成した場合には、単一の駆動モータ（図示略）で洗浄ポンプ６ａおよび排水ポンプ６ｂを駆動させてもよい。この場合には、駆動モータ（図示略）を正転（時計回り）させることにより、洗浄ポンプ６ａの駆動モータとして機能し、反対に駆動モータを逆転（反時計回り）させることにより、排水ポンプ６ｂの駆動モータとして駆動する。
【００４８】
洗浄水貯水部１２には、残菜フィルター１８が設けられている。この残菜フィルター１８により、食器から流し落とされた残菜が捕集される。
【００４９】
また、食器洗浄機１の下部には、送風ファン２５、温風ヒータ２６、温風温度センサ２９が設けられ、食器洗浄機１の上部には、蓋開閉検出センサ３３、排気口２７がそれぞれ設けられている。
【００５０】
送風ファン２５は、洗浄槽２内に空気を送り込むもので、温風ヒータ２６は、送風ファン２５によって送り込まれた空気を加熱するものである。温風ヒータ２６で加熱された空気の温度は、温風温度センサ２９により検出され、洗浄槽２内に送り込まれた空気は、排気口２７から食器洗浄機１の外部に排出される。蓋開閉検出センサ３３は、蓋３の開閉を検出するものであり、この蓋開閉検出センサ３３により、蓋３が開放されている状態か、閉止されている状態かを検出することができる。
【００５１】
食器洗浄機１の前方下部には、制御装置２８が設けられている。この制御装置２８により、洗浄ポンプ６ａおよび排水ポンプ６ｂなどが制御される。さらに、食器洗浄機１の前方下部には、操作パネル３０が形成されている。操作パネル３０の詳細については、図２を用いて後述する。
【００５２】
次に、本発明の食器洗浄機の操作パネルについて図２を参照にしながら説明する。図２は、本発明の一実施形態のおける食器洗浄機の操作パネルを示す図である。
【００５３】
図２に示すように、操作パネル３０には、電源スイッチ３０ａ、運転開始停止スイッチ３０ｂ、洗浄コース選択スイッチ３０ｃ、乾燥コース選択スイッチ３０ｄ、予約時間選択スイッチ３０ｅ、換気コース選択スイッチ３０ｆ、洗浄コース表示部３０ｇ、乾燥コース表示部３０ｈ、換気コース表示部３０ｉ、予約時間表示部３０ｊが備えられている。
【００５４】
電源スイッチ３０ａは、食器洗浄機１の電源をオン、オフするスイッチであり、運転開始停止スイッチ３０ｂは、食器洗浄機１の運転をスタートさせ、スタート後に一時停止させるスイッチである。これにより、使用者が、食器洗浄機１の電源スイッチ３０ａを押圧することにより、食器洗浄機１の電源がオンになり、そのオン状態で、後述する各種コースが選択設定され、運転開始停止スイッチ３０ｂが押圧されれば、食器洗浄機１の運転が開始される。その後、使用者が、食器洗浄機１の運転を一時停止したい場合には、運転開始停止スイッチ３０ｂを押圧すれば、食器洗浄機１の運転が一時停止する。そして、その後、使用者が、食器洗浄機１の運転を再開したい場合には、さらに、運転開始停止スイッチ３０ｂを押圧することにより、食器洗浄機１が一時停止状態から運転が再開される。このように、食器洗浄機１が運転している状態で、運転開始停止スイッチ３０ｂが押圧されれば、食器洗浄機１の運転が一時停止し、食器洗浄機１の運転が一時停止している状態で  運転開始停止スイッチ３０ｂが押圧されれば、食器洗浄機１の運転が再開される。
【００５５】
洗浄コース選択スイッチ３０ｃは、洗浄コースを選択設定するためのスイッチである。洗浄コースとして、「標準」の洗浄コース（以下、「標準洗浄コース」という）、「ハイパワー」の洗浄コース（以下、「ハイパワー洗浄コース」という）、そして「サイレント」の洗浄コース（以下、「サイレント洗浄コース」という）が準備されている。標準洗浄コースは、標準レベルの洗浄、すすぎを行うコースであり、ハイパワー洗浄コースは、標準洗浄コースより工程時間を長くして、念入りに洗浄、すすぎを行うコースであり、また、サイレント洗浄コースは、標準洗浄コースより洗浄騒音を低減させて、洗浄、すすぎを行うコースである。そして、洗浄コース選択スイッチ３０ｃにより、「洗浄なし」、「標準洗浄コース」、「ハイパワー洗浄コース」、「サイレント洗浄コース」のいずれの洗浄コースも選択設定することができる。
【００５６】
洗浄コース表示部３０ｇは、現在選択設定されている洗浄コースを表示（点灯）するものである。具体的には、「標準」、「ハイパワー」、「サイレント」の左側に発光素子が配設され、この発光素子が点灯または点滅されることにより、使用者は、現在どの洗浄コースが選択設定されているかを知ることができる。なお、洗浄コースのデフォルト（初期値）は、「洗浄なし」に設定されているので、電源スイッチ３０ａが押圧されて、電源がオンになった状態では、図２に示す洗浄コースのいずれの発光素子も点灯または点滅されない。
【００５７】
そして、使用者が、たとえば、サイレント洗浄コースを選択設定したい場合には、使用者により洗浄コース選択スイッチ３０ｃが３回押圧されることにより、サイレント洗浄コースを選択設定することができる。つまり、洗浄コース選択スイッチ３０ｃが押圧されるごとに、「洗浄なし」→「標準」→「ハイパワー」→「サイレント」→「洗浄なし」の順に発光素子の点灯が順次移動され、洗浄コースを選択設定することができる。標準洗浄コース、ハイパワー洗浄コース、サイレント洗浄コースの詳細については、後述する。
【００５８】
乾燥コース選択スイッチ３０ｄは、乾燥コースを選択設定するためのスイッチである。乾燥コースとして、「３０分」の乾燥コース（以下、「３０分乾燥コース」という）、「６０分」の乾燥コース（以下、「６０分乾燥コース」という）、そして「送風」の乾燥コース（以下、「送風乾燥コース」という）が準備されている。３０分乾燥コースは、温風ヒータ２６により、３０分間、送風ファン２５により送り込まれた空気が加熱され、洗浄槽２内の食器などを乾燥させるコースであり、６０分乾燥コースは、温風ヒータ２６により、６０分間、送風ファン２５により送り込まれた空気が加熱され、洗浄槽２内の食器などを乾燥させるコースであり、また、送風乾燥コースは、温風ヒータ２６により送風ファン２５により送り込まれた空気が加熱されず、送風ファン２５により送り込まれた空気により、洗浄槽２内の食器などを乾燥させるコースである。そして、乾燥コース選択スイッチ３０ｄにより、「乾燥なし」、「３０分乾燥コース」、「６０分乾燥コース」、「送風乾燥コース」のいずれの乾燥コースも選択設定することができる。
【００５９】
乾燥コース表示部３０ｈは、現在選択設定されている乾燥コースを表示（点灯）するものである。具体的には、「３０分」、「６０分」、「送風」の左側に発光素子が配設され、この発光素子が点灯または点滅されることにより、使用者は、現在どの乾燥コースが選択設定されているかを知ることができる。なお、乾燥コースのデフォルト（初期値）は、「乾燥なし」に設定されているので、電源スイッチ３０ａが押圧されて、電源がオンになった状態では、図２に示すいずれの発光素子も点灯または点滅されない。
【００６０】
そして、使用者が、たとえば、６０分乾燥コースを選択設定したい場合には、使用者により乾燥コース選択スイッチ３０ｄが２回押圧されることにより、６０分乾燥コースを選択設定することができる。つまり、乾燥コース選択スイッチ３０ｄが押圧されるごとに、「乾燥なし」→「３０分」→「６０分」→「送風」→「乾燥なし」の順に発光素子の点灯が順次移動され、乾燥コースを選択設定することができる。
【００６１】
なお、乾燥コース選択スイッチ３０ｄによる乾燥コースの選択設定が、洗浄コース選択スイッチ３０ｃにより洗浄コースが選択設定されているときに行なわれたときには、その選択設定された乾燥コースは、洗浄コース終了後に行われ、洗浄コース選択スイッチ３０ｃにより洗浄コースが選択設定されていないときに行なわれたときには、乾燥コース選択スイッチ３０ｄにより乾燥コースの選択設定がなされた後、運転開始停止スイッチ３０ｂが押圧操作されることにより、選択設定された乾燥コースが実行されるようになっている。
【００６２】
予約時間選択スイッチ３０ｅは、予約時間を選択設定するためのスイッチである。予約時間として、「２時間後」の予約（以下、「２時間後予約」という）、「４時間後」の予約（以下、「４時間後予約」という）が準備されている。２時間後予約は、２時間後に食器洗浄機１の運転を開始させることをあらかじめ予約するものであり、４時間後予約は、４時間後に食器洗浄機１の運転を開始させることをあらかじめ予約するものである。そして、予約時間選択スイッチ３０ｅにより、２時間後予約、４時間後予約のいずれの予約も選択設定することができる
【００６３】
予約時間表示部３０ｉは、現在選択設定されている予約時間を表示（点灯）するものである。具体的には、「２時間後」、「４時間後」の左側に発光素子が配設され、この発光素子が点灯または点滅されることにより、使用者は、現在どの予約時間が選択設定されているかを知ることができる。なお、予約時間のデフォルト（初期値）は、「予約時間なし」に設定されているので、電源スイッチ３０ａが押圧されて、電源がオンになった状態では、図２に示すいずれの発光素子も点灯または点滅されない。
【００６４】
そして、使用者が、たとえば、４時間後予約を選択設定したい場合には、使用者により予約時間選択スイッチ３０ｅが２回押圧されることにより、４時間後予約を選択設定することができる。つまり、予約時間選択スイッチ３０ｅが押圧されるごとに、「予約なし」→「２時間後」→「４時間後」→「予約なし」の順に発光素子の点灯が順次移動され、予約時間を選択設定することができる。
【００６５】
換気コース選択スイッチ３０ｆは、換気コースを選択設定するためのスイッチである。換気コースとして、「連続」の換気コース（以下、「連続換気コース」という）、「８時間」の換気コース（以下、「８時間換気コース」という）が準備されている。連続換気コースは、送風ファン２５を連続的に動作させて、洗浄槽２内の空気を排出させるコースであり、８時間換気コースは、送風ファン２５を８時間動作させて、洗浄槽２内の空気を排出させるコースである。そして、換気コース選択スイッチ３０ｆにより、連続換気コース、８時間換気コースのいずれの換気コースも選択設定することができる
【００６６】
換気コース表示部３０ｉは、現在選択されている換気コースを表示（点灯）するものである。具体的には、「連続」、「８時間」の左側に発光素子が配設され、この発光素子が点灯または点滅されることにより、使用者は、現在どの換気コースが選択されているかを知ることができる。なお、換気コースのデフォルト（初期値）は、「換気なし」に設定されているので、電源スイッチ３０ａが押圧されて、電源がオンになった状態では、図２に示すいずれの発光素子も点灯または点滅されない。
【００６７】
そして、使用者が、たとえば、８時間換気コースを選択設定したい場合には、使用者により換気コース選択スイッチ３０ｆが２回押圧されることにより、８時間換気コースを選択設定することができる。つまり、換気コース選択スイッチ３０ｆが押圧されるごとに、「換気なし」→「連続」→「８時間」→「換気なし」の順に発光素子の点灯が順次移動され、換気コースを選択設定することができる。
【００６８】
なお、換気コース選択スイッチ３０ｆによる換気コースの選択設定が、洗浄コース選択スイッチ３０ｃにより洗浄コースが選択設定されているときに行なわれたときには、その選択設定された換気コースは、洗浄コース終了後に行われ、また、洗浄コース選択スイッチ３０ｃにより洗浄コースが選択設定され、かつ、乾燥コース選択スイッチ３０ｄにより乾燥コースが選択設定されているときに行なわれたときには、その選択設定された換気コースは、洗浄コース、乾燥コース終了後に行われる。また、洗浄コース選択スイッチ３０ｃにより洗浄コースが選択設定されていないときで、乾燥コース選択スイッチ３０ｄにより乾燥コースが選択設定されていないときに行なわれたときには、換気コース選択スイッチ３０ｆにより換気コースの選択設定がなされた後、運転開始停止スイッチ３０ｂが押圧操作されることにより、選択設定された換気コースが実行されるようになっている。
【００６９】
次に、本発明の食器洗浄機の電気的構成について図３を参照にしながら説明する。図３は、本発明の一実施形態における食器洗浄機の電気的構成を示すブロック図である。
【００７０】
図３に示すように、食器洗浄機１は、制御装置２８を備えている。制御装置２８は、ＣＰＵ（Central Processing Unit；中央演算処理部）、ＲＯＭ（Read Only Memory）、ＲＡＭ（Random Access Memory）、インタフェース等（何れも図示略）を含むマイクロコンピュータを有している。ＲＡＭ（図示略）、ＲＯＭ（図示略）などの記憶手段には、マイクロコンピュータを制御するためのプログラムが記憶されている。
【００７１】
制御装置２８には、上述した水量検出センサ１０、温風温度センサ２９、温水温度センサ８、蓋開閉検出センサ３３、操作パネル３０のそれぞれの機器からの出力信号が与えられるようになっている。そして、これらの出力信号に基づいて、制御装置２８は、送風ファン２５、洗浄ポンプ６ａ、排水ポンプ６ｂ、温風ヒータ２６、温水ヒータ７、ブザー３２、給水弁９、および排水弁３１を制御するようになっている。
【００７２】
ブザー３２は、たとえば、残菜フィルター１８の残飯汚れが所定量よりも多いと判断された場合に、残菜フィルター１８の清掃報知を行うものである。そして、使用者は、ブザー３２の報知により、残菜フィルター１８に捕集された残菜や汚れを清掃することができる。このブザー３２の報知音は、使用者が残菜フィルター１８を清掃するために、扉３が開かれたときに停止する。具体的には、蓋開閉検出センサ３３により扉３が開かれたことが検出されたときに、制御手段２８により、ブザー３２の報知音が停止される。
【００７３】
次に、回転洗浄ノズルから噴射された洗浄水の温度と食器などに付着している汚れの残り率（汚れ残り率）との関係を図４〜図６を用いて説明する。これらの図には、回転洗浄ノズル５から所定の温度の洗浄水を食器などに噴射させた場合に、所定の時間経過後に食器などにどれだけの汚れが残存しているかを示している。図４は、回転洗浄ノズルから噴射される洗浄水の温度と食器などに付着している油汚れの汚れ残り率の関係を示す図であり、図５は、回転洗浄ノズルから噴射される洗浄水の温度と食器などに付着しているでんぷん汚れの汚れ残り率の関係を示す図であり、図６は、回転洗浄ノズルから噴射される洗浄水の温度と食器などに付着しているタンパク汚れの汚れ残り率の関係を示す図である。
【００７４】
通常、食器などに付着している汚れの成分は、米粒などを主体としたでんぷん汚れ、卵などを主体としたたんぱく質汚れ、ラードなどを主体とした油汚れに分類され、これらの成分がそれぞれ単独もしくは複合して食器などの表面に付着している。以下、それぞれの汚れと洗浄水温度との関係について説明する。
【００７５】
食器などに付着している汚れが油汚れの場合には、図４に示すように、回転洗浄ノズル５から噴射される洗浄水の温度が６０℃になるまでは、洗浄水の温度が高くなるにつれ、油汚れの汚れ残り率が低くなっている。そして、回転洗浄ノズル５から噴射される洗浄水の温度が６０℃になると、ほぼすべての油汚れが洗い流されている。すなわち、油汚れの場合は、回転洗浄ノズル５から噴射される洗浄水の温度が高いほうが洗浄性能が高いことがわかる。また、食器などに付着している汚れがでんぷん汚れの場合には、図５に示すように、回転洗浄ノズル５から噴射される洗浄水の温度が高くなるにつれ、でんぷん汚れの汚れ残り率が低くなっている。すなわち、でんぷん汚れの場合も、回転洗浄ノズル５から噴射される洗浄水の温度が高いほうが洗浄性能が高いことがわかる。また、食器などに付着している汚れがタンパク汚れの場合には、図６に示すように、回転洗浄ノズル５から噴射される洗浄水の温度が５０℃になるまでは、タンパク汚れの汚れ残り率が１０％弱であるのに対し、回転洗浄ノズル５から噴射される洗浄水の温度が５０℃を超えると、洗浄水の温度が高くなるにつれ、タンパク汚れの汚れ残り率が高くなっている。すなわち、タンパク汚れの場合は、回転洗浄ノズル５から噴射される洗浄水の温度が５０℃を超えると洗浄性能が低くなることがわかる。このように、タンパク汚れの場合、洗浄水の温度が５０℃を超えると洗浄性能が低くなるのは、洗浄水の温度が５０℃を超えると、タンパク質が凝固するからである。
【００７６】
また、上述した食器などに付着している汚れの成分の特性として、でんぷん汚れは、乾燥して食器表面に固化して付着している場合が多いことから、洗浄水の温度に関係なく、固化して付着しているでんぷん汚れに水分を吸水させ、膨潤させてから洗い落とすことが有効であり、また、油汚れは、食器表面からの脱離は比較的容易であるが、容易に再付着するという特性があるため、食器表面や洗浄槽２から排出させるのが比較的難しいという特性を有している。なお、本実施態様の洗浄工程では、洗浄水貯水部１２に貯水されている洗浄水の実際の温度が、洗剤が活性化する活性化温度（５０℃〜５５℃）になるように制御されている。これは、活性化温度（５０℃〜５５℃）を超えると、図４〜図６に示すように、タンパク汚れの汚れ残り率が高くなり、また、油汚れおよびでんぷん汚れについては、洗浄水の温度が低くなると汚れ残り率が高くなることから、洗浄水貯水部１２に貯水されている洗浄水の実際の温度が、活性化温度（５０℃〜５５℃）になるように制御されることにより、最も効率的に食器などの汚れが洗浄されるからである。
【００７７】
次に、上述した標準洗浄コース、サイレント洗浄コースの運転内容について図７、図８を用いて説明する。図７は、本発明の一実施形態における食器洗浄機の標準洗浄コースの運転内容を示す図であり、図８は、本発明の一実施形態における食器洗浄機のサイレント洗浄コースの運転内容を示す図である。なお、ハイパワー洗浄コースについては、標準洗浄コースの時間を長くし、運転内容は標準洗浄コースとほぼ同様であるので、ここでは説明は省略する。ハイパワー洗浄コースの詳細は、図９を用いて後述する。
【００７８】
まず、本実施形態の標準洗浄コースについて図７を参照にしながら説明する。本実施形態の標準洗浄コースでは、予備洗浄工程→洗浄工程→すすぎ工程１（最初のすすぎ工程）→すすぎ工程２→すすぎ工程３（最後のすすぎ工程）の順で食器洗浄機１の運転が行われる。ここで、最初のすすぎ工程とは、すすぎ工程のうち最初に行われるすすぎ工程のことをいい、また、最後のすすぎ工程とは、すすぎ工程のうち最後に行われるすすぎ工程のことをいう。本実施形態では、すすぎ工程がそれぞれ３つの独立したすすぎ工程からなり、すすぎ工程１が最初のすすぎ工程でなり、また、すすぎ工程３が最後のすすぎ工程となる。なお、図７では、説明の便宜上、予備洗浄工程からすすぎ工程について説明し、図７に示す予備洗浄工程前の工程、およびすすぎ工程後の工程についての説明は省略する。
【００７９】
図７に示す標準洗浄コースの予備洗浄工程では、洗浄槽２内の洗浄水が高水位になった状態から説明する。ここで、本実施形態における「高水位」の状態とは、洗浄槽２内に洗浄水が供給され、残菜フィルター１８の上方で回転洗浄ノズル５の付け根の中間部付近のところまで供給された状態という。この状態で、水量検出センサ１０により高水位になったことが検出される。
【００８０】
まず、標準洗浄コースの予備洗浄工程について説明する。予備洗浄工程は、食器などに付着している残菜などを大雑把に洗浄するとともに、食器などに付着している汚れおよび食器などを蒸らすための工程である。図７に示す予備洗浄工程では、洗浄槽２内の洗浄水の水位が高水位になっている状態で、温水ヒータ７により洗浄水貯水部１２の洗浄水が加熱されている。具体的には、洗浄水貯水部１２の洗浄水の温度（洗浄水温度目標値）が６５℃になるように、温水ヒータ７の出力が制御されている。この洗浄水温度目標値とは、温水ヒータ７により洗浄水が加熱されることにより、所定量の洗浄水が所定の時間後になるべき温度目標値であり、この洗浄水温度目標値になるように温水ヒータが制御されている。したがって、洗浄水温度目標値が高いほうが、温水ヒータ７の出力が高くなる。ここで、予備洗浄工程において、洗浄水温度目標値を６５℃にしているのは、洗浄水温度目標値を上述した活性化温度（５０℃〜５５℃）より高くして、洗浄槽２内の洗浄水の温度を早く活性化温度に近づけるためである。
【００８１】
予備洗浄工程は、前洗浄工程と蒸らし工程からなり、まず前洗浄工程が行われ、その後に蒸らし工程が行われる。前洗浄工程および蒸らし工程では、洗浄ポンプ６ａが高速で間欠的（２段間欠）に運転されている。具体的には、前洗浄工程では、２０秒間欠噴射→１分２０秒噴射停止のように洗浄ポンプ６ａが運転され、回転洗浄ノズル５から洗浄水を噴射させている。また、前洗浄工程での２０秒間欠噴射では、洗浄ポンプ６ａが停止した状態から、１秒動作→１秒休止→１秒動作のように、休止（１秒）と動作（１秒）が繰返されて、洗浄ポンプ６ａが間欠的に運転されている。また、蒸らし工程では、１０秒間欠噴射→１分噴射停止→１０秒間欠噴射→１分噴射停止のように、所定の噴射停止期間をはさみながら、洗浄ポンプ６ａが運転され、回転洗浄ノズル５から洗浄水を噴射させている。また、蒸らし工程での１０秒間欠噴射では、洗浄ポンプ６ａが停止した状態から、０．６秒動作→０．８秒休止→０．６秒動作のように、休止（０．８秒）と動作（０．６秒）が繰返されて、洗浄ポンプ６ａが間欠的に運転されている。
【００８２】
これにより、前洗浄工程では、大雑把に食器などに付着した残菜などが洗浄でき、また、蒸らし工程では、食器および食器などに付着している汚れを十分蒸らし、食器などに付着している汚れなどの洗浄が容易になる。
【００８３】
そして、その後、予備洗浄工程の工程時間（４分）が経過することにより、予備洗浄工程が終了する。そして、予備洗浄工程に続いて、洗浄工程が行われる。なお、予備洗浄工程では、排水弁３１および排水ポンプ６ｂが「ＯＦＦ」なので、洗浄水の排水は行わない。したがって、洗浄槽２内の洗浄水の水位が高水位になっている状態で、洗浄工程が行われる。このように、予備洗浄工程から洗浄工程に移行する際に、洗浄槽２内の洗浄水が排水されないので、予備洗浄工程終了時の洗浄槽２内の洗浄水の温度を維持して、洗浄工程に移行させることができる。
【００８４】
次に、標準洗浄コースの洗浄工程（標準洗浄工程）について説明する。洗浄工程は、食器などに付着している残菜などを洗い落とすための工程である。図７に示すように、標準洗浄工程では、洗浄槽２内の洗浄水の水位が高水位になっている状態で、温水ヒータ７により洗浄水貯水部１２の洗浄水が加熱されている。具体的には、洗浄水貯水部１２の洗浄水の温度（洗浄水温度目標値）が６０℃になるように、温水ヒータ７の出力が制御されている。また、標準洗浄工程でも、洗浄ポンプ６ａが高速で間欠的（長間欠）に運転されている。具体的には、標準洗浄工程では、２９秒間連続噴射→１秒噴射停止→２９秒間連続噴射→１秒噴射停止のように、所定の噴射停止期間をはさみながら、洗浄ポンプ６ａが運転され、回転洗浄ノズル５から洗浄水を噴射させている。ここで、標準洗浄工程において、洗浄水温度目標値を６０℃にしているのは、洗浄水温度目標値を上述した活性化温度（５０℃〜５５℃）より少し高くして、洗浄槽２内の洗浄水の温度を早く活性化温度に近づけるためである。また、標準洗浄工程の洗浄水温度目標値を予備洗浄工程の洗浄水温度目標値よりも低くしているのは、すでに予備洗浄工程により洗浄槽２内の洗浄水の温度が高くなり、洗浄水の温度の立ち上がりを予備洗浄工程ほど考える必要がないからである。これにより、予備洗浄工程より消費電力を低減することができる。
【００８５】
そして、その後、標準洗浄工程の工程時間（１５分）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、標準洗浄工程が終了する。そして、標準洗浄工程に続いて、すすぎ工程が行われる。
【００８６】
このように、標準洗浄工程では、高水位で、洗浄ポンプ６ａが間欠的に運転されるように制御され、回転洗浄ノズル５から間欠的に洗浄水が噴射されるので、回転洗浄ノズル５から噴射される洗浄水により、食器に付着している残菜を確実に洗い流すことができる。
【００８７】
また、予備洗浄工程に引き続いて標準洗浄工程では、洗浄水貯水部１２の洗浄水の温度（洗浄水温度目標値）が６０℃になるように、温水ヒータ７の出力が制御されているので、洗浄水の温度を６０℃に近づけることができ、食器の汚れを確実に流し落とすことができる。
【００８８】
次に、標準洗浄コースのすすぎ工程（標準すすぎ工程）について説明する。すすぎ工程は、食器などに付着している汚れや洗剤を流し落とすための工程である。標準すすぎ工程では、標準すすぎ工程１（最初のすすぎ工程）、標準すすぎ工程２、標準すすぎ工程３のそれぞれ独立した３つのすすぎ工程が連続して行われる。
【００８９】
標準すすぎ工程１および標準すすぎ工程２では、大雑把に食器などに付着している汚れや洗剤が流し落とされ、その流し落とされた洗剤などが洗浄水とともに排水される。具体的には、標準すすぎ工程１では、給水弁９が開かれ、洗浄槽２内に洗浄水が供給され、水量検出センサ１０により低水位になったことが検出されると、制御手段２８により給水弁９が閉止される。そして、給水弁９が閉止された状態で、洗浄ポンプ６ａが高速で間欠的（短間欠）に運転され、回転洗浄ノズル５から間欠的に洗浄水が噴射される。具体的には、１秒動作→１秒休止→１秒動作のように、休止と動作が繰返されて洗浄ポンプ６ａが運転されることにより、回転洗浄ノズル５から間欠的に洗浄水が噴射される。なお、標準すすぎ工程１では、温水ヒータ７が「ＯＦＦ」なので、洗浄水貯水部１２に貯水されている洗浄水は加熱されていない。ここで、本実施形態における「低水位」の状態とは、上述した高水位の状態よりも水位が低く、残菜フィルター１８よりも上部の水位の状態をいう。
【００９０】
このように、最初のすすぎ工程（標準すすぎ工程１）では、低水位で、洗浄ポンプ６ａが高速で間欠的に運転されるように制御され、回転洗浄ノズル５から間欠的に洗浄水が噴射されるので、洗浄ポンプ６ａの駆動の際の高い噴射圧で比較的高い運動エネルギーを持った洗浄水の塊を、所定の休止時間をはさんで、連続的に供給することができる。これにより、比較的高い運動エネルギーを持った洗浄水の塊により、食器に付着している汚れや洗剤に強い衝撃力を与えることができ、食器に付着している洗剤などを確実に流し落とすことができる。
【００９１】
そして、その後、標準すすぎ工程１の工程時間（３０秒）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、標準すすぎ工程１が終了する。そして、標準すすぎ工程１に続いて、標準すすぎ工程２が行われる。
【００９２】
標準すすぎ工程２は、標準すすぎ工程１と内容が同一であるので、説明は省略する。標準すすぎ工程２が終了すると、続いて、標準すすぎ工程３（最後のすすぎ工程）が行われる。  
【００９３】
このように、標準すすぎ工程１および標準すすぎ工程２で温水ヒータ７を「ＯＦＦ」にして、洗浄水貯水部１２に貯水されている洗浄水が加熱されないのは、上述したように、標準すすぎ工程１および標準すすぎ工程２では、大雑把に食器などに付着している汚れや洗剤を流し落とし、その流し落とされた洗剤などを洗浄水とともに排水することを目的としているからである。
【００９４】
標準すすぎ工程３では、食器に付着している汚れ（油分も含む）のみならず洗剤をも確実に流し落とされる。具体的には、標準すすぎ工程３では、給水弁９が開かれ、洗浄槽２内に洗浄水が供給され、水量検出センサ１０により高水位になったことが検出されると、制御手段２８により給水弁９が閉止される。そして、給水弁９が閉止された状態で、温水ヒータ７により洗浄水貯水部１２の洗浄水が加熱されている。具体的には、洗浄水貯水部１２の洗浄水の温度（洗浄水温度目標値）が６５℃になるように、温水ヒータ７の出力が制御されている。また、標準すすぎ工程３では、洗浄ポンプ６ａが高速で連続的に運転され、回転洗浄ノズル５から連続的に洗浄水が噴射される。
【００９５】
このように、標準すすぎ工程３では、高水位で、洗浄ポンプ６ａが連続的に運転されるように制御され、回転洗浄ノズル５から連続的に洗浄水が噴射されるので、回転洗浄ノズル５から噴射される多量の洗浄水により、食器に付着している洗剤などを確実に流し落とすことができる。また、標準すすぎ工程３では、洗浄水貯水部１２の洗浄水の温度（洗浄水温度目標値）が６５℃になるように、温水ヒータ７の出力が制御されているので、食器に付着している油汚れも含めて確実に流し落とすことができる。
【００９６】
そして、その後、標準すすぎ工程３の工程時間（１０分）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、標準すすぎ工程３が終了する。
【００９７】
次に、本発明のサイレント洗浄コースについて図８を参照にしながら説明する。サイレント洗浄コースは、上述したように、標準洗浄コースより洗浄騒音を低減させて、洗浄、すすぎを行うコースである。本発明のサイレント洗浄コースでは、洗浄工程→すすぎ工程１（最初のすすぎ工程）→すすぎ工程２→すすぎ工程３（最後のすすぎ工程）の順で食器洗浄機１の運転が行われる。このように、サイレント洗浄コースでは、予備洗浄工程を行わないので、予備洗浄工程で発生する洗浄ポンプ６ａの洗浄ポンプ用駆動モータ（図示略）の駆動音や回転洗浄ノズル５から噴射される洗浄水の食器などへの衝突音などの洗浄騒音を解消することができる。つまり、予備洗浄工程の前洗浄工程では、食器などに付着している残菜などを大雑把に洗浄させるために、食器などに付着している残菜などを大雑把に洗浄できる程度の洗浄水を回転洗浄ノズル５から噴射させる必要があり、また、予備洗浄工程の蒸らし工程では、食器および食器などに付着している残菜などを十分蒸らすために、回転洗浄ノズル５から間欠的に洗浄水を噴射させる必要がある。それゆえに、かなりの洗浄ポンプ６ａの洗浄ポンプ用駆動モータ（図示略）の駆動音や回転洗浄ノズル５から噴射される洗浄水の食器などへの衝突音などの洗浄騒音が発生する。サイレント洗浄コースでは、予備洗浄工程を行わないので、これらの洗浄騒音を解消することができる。なお、図８では、説明の便宜上、洗浄工程からすすぎ工程について説明し、図８に示す洗浄工程前の工程、およびすすぎ工程後の工程についての説明は省略する。
【００９８】
図８に示すようにサイレント洗浄コースは、上述したように、洗浄工程→すすぎ工程１（最初のすすぎ工程）→すすぎ工程２→すすぎ工程３（最後のすすぎ工程）の順で食器洗浄機１の運転が行われる。そして、図８では、洗浄工程において、洗浄槽２内の洗浄水が低水位になった状態から説明する。
【００９９】
まず、サイレント洗浄コースの洗浄工程（静音洗浄工程）について説明する。静音洗浄工程では、図８に示すように、洗浄槽２内の洗浄水の水位が低水位になっている状態で、温水ヒータ７により洗浄水貯水部１２の洗浄水が加熱されている。具体的には、洗浄水貯水部１２の洗浄水の温度（洗浄水温度目標値）が５０℃になるように、温水ヒータ７の出力が制御されている。また、静音洗浄工程では、洗浄ポンプ６ａが低速で連続的に運転され、回転洗浄ノズル５から連続的に洗浄水を噴射されている。
【０１００】
このように、静音洗浄工程において、回転洗浄ノズル５から連続的に洗浄水を噴射させているので、洗浄水が食器などに衝突する際の衝突音が断続的に発生せず、衝突音の振動音が生じないので、洗浄騒音の低減を図ることができる。また、間欠噴射の場合には、洗浄ポンプ６ａの特性により、噴射初期に回転洗浄ノズル５から一段と高い噴射圧の洗浄水が噴射され、比較的高い運動エネルギーを持った洗浄水が食器などに衝突し、その際に大きな衝突音が発生するが、回転洗浄ノズル５から連続的に洗浄水を噴射させる連続噴射では、このような大きな衝突音の発生も抑制でき静音性能を高めることができる。さらに、静音洗浄工程では、低速で、回転洗浄ノズル５から連続的に洗浄水を噴射させているので、回転洗浄ノズル５から噴射された洗浄水が食器などに衝突する際に発生する衝突音をさらに低減することができる。
【０１０１】
また、静音洗浄工程での洗浄槽２内の洗浄水の水位を、標準洗浄工程の洗浄槽２内の洗浄水の水位よりも低水位にしているので、洗浄水を節水することができる。すなわち、静音洗浄工程においては、標準洗浄工程よりも洗浄ポンプ６ａの出力を低下（洗浄ポンプ６ａが低速で運転）させているので、洗浄水量を減らしても、洗浄ポンプ６ａへの空気の巻き込みを生ずることなしに継続して洗浄ポンプ６ａを運転することができる。これにより、洗浄水を節水することができる。
【０１０２】
そして、その後、静音洗浄工程の工程時間（４４分）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、静音洗浄工程が終了する。そして、静音洗浄工程に続いて、すすぎ工程が行われる。
【０１０３】
次に、サイレント洗浄コースのすすぎ工程（静音すすぎ工程）について説明する。静音すすぎ工程では、静音すすぎ工程１（最初のすすぎ工程）、静音すすぎ工程２、静音すすぎ工程３のそれぞれ独立した３つのすすぎ工程が連続して行われる。
【０１０４】
静音すすぎ工程１および静音すすぎ工程２では、大雑把に食器などに付着している汚れや洗剤が流し落とされ、その流し落とされた洗剤などが洗浄水とともに排水される。具体的には、静音すすぎ工程１では、給水弁９が開かれ、洗浄槽２内に洗浄水が供給され、水量検出センサ１０により低水位になったことが検出されると、制御手段２８により給水弁９が閉止される。そして、給水弁９が閉止された状態で、洗浄ポンプ６ａが低速で連続的に運転され、回転洗浄ノズル５から連続的に洗浄水が噴射される。なお、静音すすぎ工程１では、温水ヒータ７が「ＯＦＦ」なので、洗浄水貯水部１２に貯水されている洗浄水は加熱されていない。
【０１０５】
そして、その後、静音すすぎ工程１の工程時間（３０秒）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、静音すすぎ工程１が終了する。そして、静音すすぎ工程１に続いて、静音すすぎ工程２が行われる。
【０１０６】
静音すすぎ工程２は、静音すすぎ工程１と内容が同一であるので、説明は省略する。静音すすぎ工程２が終了すると、続いて、静音すすぎ工程３（最後のすすぎ工程）が行われる。
【０１０７】
このように、静音すすぎ工程１および静音すすぎ工程２で温水ヒータ７を「ＯＦＦ」にして、洗浄水貯水部１２に貯水されている洗浄水が加熱されないのは、標準すすぎ工程１および標準すすぎ工程２と同様、静音すすぎ工程１および静音すすぎ工程２では、大雑把に食器などに付着している汚れや洗剤を流し落とし、その流し落とされた洗剤などを洗浄水とともに排水することを目的としているからである。
【０１０８】
静音すすぎ工程３では、給水弁９が開かれ、洗浄槽２内に洗浄水が供給され、水量検出センサ１０により低水位になったことが検出されると、制御手段２８により給水弁９が閉止される。そして、給水弁９が閉止された状態で、温水ヒータ７により洗浄水貯水部１２の洗浄水が加熱されている。具体的には、洗浄水貯水部１２の洗浄水の温度（洗浄水温度目標値）が６２℃になるように、温水ヒータ７の出力が制御されている。また、静音すすぎ工程３では、洗浄ポンプ６ａが低速で連続的に運転され、回転洗浄ノズル５から連続的に洗浄水が噴射される。
【０１０９】
このように、静音すすぎ工程では、回転洗浄ノズル５から連続的に洗浄水を噴射させているので、洗浄水が食器に衝突する際の衝突音が断続的に発生せず、衝突音の振動音が生じないので、洗浄騒音の低減を図ることができる。また、標準洗浄コースの標準すすぎ工程１、標準すすぎ工程２では、間欠噴射が行われることにより噴射初期に回転洗浄ノズル５から一段と高い噴射圧の洗浄水が噴射され、比較的高い運動エネルギーを持った洗浄水が食器に衝突し、その際に大きな衝突音が発生するが、回転洗浄ノズル５から連続的に洗浄水を噴射させる連続噴射では、このような大きな衝突音の発生も抑制でき、静音性能を高めることができる。さらに、静音洗浄工程では、低速で、回転洗浄ノズル５から連続的に洗浄水を噴射させているので、回転洗浄ノズル５から噴射された洗浄水が食器などに衝突する際に発生する衝突音をさらに低減することができる。
【０１１０】
また、静音すすぎ工程での洗浄槽２内の洗浄水の水位を、標準すすぎ工程での洗浄槽２内の洗浄水の水位よりも低水位にしているので、洗浄水を節水することができる。すなわち、静音すすぎ工程においては、静音すすぎ工程よりも洗浄ポンプ６ａの出力を低下させているので、洗浄水量を減らしても、洗浄ポンプ６ａへの空気の巻き込みを生ずることなしに継続して洗浄ポンプ６ａを運転することができる。これにより、洗浄水を節水することができる。
【０１１１】
そして、その後、静音すすぎ工程３の工程時間（１５分）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、静音すすぎ工程３が終了する。
【０１１２】
次に、本実施形態の標準洗浄コース、ハイパワー洗浄コース、サイレント洗浄コースについて図９を用いて説明する。図９は、本発明の一実施形態における食器洗浄機の洗浄コースの詳細を示す図である。
【０１１３】
まず、本実施形態の標準洗浄コースについて説明する。本実施形態の標準洗浄コースは、上述したように、予備洗浄工程→標準洗浄工程→標準すすぎ工程１→標準すすぎ工程２→標準すすぎ工程３の順で食器洗浄機１の運転が行われる。
【０１１４】
図９に示す予備洗浄工程では、洗浄槽２内の洗浄水の水位が高水位になった状態から説明する。図９に示すように、洗浄槽２内の洗浄水の水位が高水位になっている状態で、温水ヒータ７により洗浄水貯水部１２の洗浄水の洗浄水温度目標値が６５℃になるように加熱され、洗浄ポンプ６ａが高速で間欠的（２段間欠）に運転されている。ここで、２段間欠運転とは、上述したように、前洗浄工程においては、２０秒間欠噴射→１分２０秒噴射停止のように、洗浄ポンプ６ａが間欠的に運転（第１段目の間欠）され、さらに、この２０秒間欠噴射において、１秒動作→１秒休止→１秒動作のように、休止（１秒）と動作（１秒）が繰返されて、洗浄ポンプ６ａが間欠的に運転（２段目の間欠）されていることをいい、また、蒸らし工程においては、１０秒間欠噴射→１分噴射停止→１０秒間欠噴射→１分噴射停止のように、所定の噴射停止期間をはさみながら、洗浄ポンプ６ａが間欠的に運転（第１段目の間欠）され、さらに、この１０秒間欠噴射において、０．６秒動作→０．８秒休止→０．６秒動作のように、休止（０．８秒）と動作（０．６秒）が繰返されて、洗浄ポンプ６ａが間欠的に運転（２段目の間欠）されていることをいう。
【０１１５】
そして、その後、予備洗浄工程の工程時間（４分）が経過することにより、予備洗浄工程が終了する。そして、予備洗浄工程に続いて、標準洗浄工程が行われる。
【０１１６】
標準洗浄工程では、洗浄槽２内の洗浄水の水位が高水位になった状態で、温水ヒータ７により、洗浄水貯水部１２の洗浄水の洗浄水温度目標値が６０℃になるように加熱され、洗浄ポンプ６ａが高速で間欠的（長間欠）に運転されている。ここで、長間欠運転とは、上述したように、２９秒間連続噴射→１秒噴射停止→２９秒間連続噴射→１秒噴射停止のように、休止と長期間の噴射を繰返して、洗浄ポンプ６ａが運転されることをいう。
【０１１７】
そして、その後、標準洗浄工程の工程時間（１５分）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、標準洗浄工程が終了する。そして、標準洗浄工程に続いて、標準すすぎ工程が行われる。
【０１１８】
標準すすぎ工程では、上述したように、標準すすぎ工程１（最初のすすぎ工程）、標準すすぎ工程２、標準すすぎ工程３のそれぞれ独立した３つのすすぎ工程が連続して行われる。
【０１１９】
まず、標準すすぎ工程１では、給水弁９が開かれ、洗浄槽２内に洗浄水が供給され、水量検出センサ１０により低水位になったことが検出されると、制御手段２８により給水弁９が閉止される。そして、給水弁９が閉止された状態で、洗浄ポンプ６ａが高速で間欠的（短間欠）に運転される。ここで、短間欠運転とは、上述したように、１秒動作→１秒休止→１秒動作のように、休止と短期間の噴射を繰返して、洗浄ポンプ６ａが運転されることをいう。なお、標準すすぎ工程１では、温水ヒータ７が「ＯＦＦ」なので、洗浄水貯水部１２に貯水されている洗浄水は加熱されていない。
【０１２０】
そして、その後、標準すすぎ工程１の工程時間（３０秒）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、標準すすぎ工程１が終了する。そして、標準すすぎ工程１に続いて、標準すすぎ工程２が行われる。
【０１２１】
標準すすぎ工程２は、標準すすぎ工程１と内容が同一であるので、説明は省略する。標準すすぎ工程２が終了すると、続いて、標準すすぎ工程３が行われる。
【０１２２】
標準すすぎ工程３では、給水弁９が開かれ、洗浄槽２内に洗浄水が供給され、水量検出センサ１０により高水位になったことが検出されると、制御手段２８により給水弁９が閉止される。そして、給水弁９が閉止された状態で、温水ヒータ７により、洗浄水貯水部１２の洗浄水の洗浄水温度目標値が６５℃になるように加熱され、洗浄ポンプ６ａが高速で連続に運転されている。
【０１２３】
そして、その後、標準すすぎ工程３の工程時間（１０分）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、標準すすぎ工程３が終了する。
【０１２４】
次に、図９に示す標準洗浄コースの予約時間登録時について説明する。この予約時間登録時は、使用者により、図２に示す操作パネル３０の洗浄コース選択スイッチ３０ｃにより「標準洗浄コース」が選択設定され、さらに予約時間選択スイッチ３０ｅにより「２時間後予約」または「４時間後予約」が選択設定され、その予約時間が登録されたときに行われる。
【０１２５】
図９に示すように、標準洗浄コースの予約時間登録時では、予備洗浄工程が行われず、その分、洗浄工程の工程時間が、「２時間後予約」では１０分延長され、「４時間後予約」では２０分延長されている。このように、予約時間登録時において、洗浄時間が延長されるのは、予約時間登録時では、食器などに残菜などが付着されたまま、数時間放置され、汚れが乾燥して固まってしまい、落ちにくくなるので、その分、洗浄工程の工程時間を長くして、食器などにこびりついた汚れを十分に洗い落とすためである。これにより、たとえ食器などに残菜などがこびりついた状態で、数時間放置された場合でも、食器などにこびりついた汚れなどを確実に洗い落とすことができるとともに、標準洗浄コースの総工程時間を無用に長くなることなく、必要な洗浄性能を確保することができる。
【０１２６】
次に、本実施形態のハイパワー洗浄コースについて説明する。ハイパワー洗浄コースは、食器の量が多い場合や食器に油分が多い残菜が付着している場合など、食器などを念入りに洗浄しなければ、食器に付着している汚れを十分に洗い落とすことができないときに選択するコースである。本実施形態のハイパワー洗浄コースでは、上述した標準洗浄コースの各工程時間を２倍にして、食器などが念入りに洗浄される。これにより、食器などに付着している残菜などを確実に洗い流すことができる。なお、ハイパワー洗浄コースについては、標準洗浄コースを２倍したものと一部異なるので、その異なる点についてのみ説明する。
【０１２７】
図９に示すように、ハイパワー洗浄コースの洗浄工程およびすすぎ工程３では、温水ヒータ７により洗浄水貯水部１２の洗浄水の洗浄水温度目標値が８０℃になるように加熱されている。このように、ハイパワー洗浄コースの洗浄工程およびすすぎ工程３の洗浄水温度目標値を、標準洗浄工程の洗浄水温度目標値（６０℃）および標準すすぎ工程３の洗浄水温度目標値（６５℃）よりも高くしているので、食器の量が多い場合や食器に油分が多い残菜が付着している場合でも、食器などに付着している残菜などを確実に洗い流すことができる。すなわち、食器の量が多い場合には、回転洗浄ノズル５から噴射される洗浄水の熱が食器などに奪われ、洗浄水の温度が高くなりにくいが、この場合でも、ハイパワー洗浄コースの洗浄工程およびすすぎ工程３の洗浄水温度目標値を高くしているので、早く活性化温度（５０℃〜５５℃）にすることができる。また、食器に油分が多い残菜が付着している場合には、図４で説明したように、回転洗浄ノズル５から噴射される洗浄水の温度が高いほうが洗浄性能が高いことから、ハイパワー洗浄コースの洗浄工程およびすすぎ工程３の洗浄水温度目標値を高くすることにより、食器に付着した油分を確実に洗い流すことができる。
【０１２８】
また、ハイパワー洗浄コースの予約時間登録時では、予備洗浄工程を行っている。これは、ハイパワー洗浄コースでは、標準洗浄コースの各工程時間を２倍にしているので、予備洗浄工程を行っても、洗浄工程の工程時間が十分確保できるからである。図９に示すように、ハイパワー洗浄コースの予約時間登録時では、予備洗浄工程の工程時間が、「２時間後予約」では１分延長され、「４時間後予約」では２分延長されている。このように、予備洗浄工程の工程時間が延長されることにより、食器および食器などにこびりついた残菜などが十分蒸らされ、食器などにこびりついた残菜などが洗い落としやすくなる。これにより、その後に行われる洗浄工程において、食器などに付着している汚れがより洗い落としやすくなる。
【０１２９】
次に、本発明のサイレント洗浄コースについて説明する。サイレント洗浄コースは、洗浄ポンプ６ａの洗浄ポンプ用駆動モータ（図示略）の駆動音や回転洗浄ノズル５から噴射された洗浄水の食器などへの衝突音などの洗浄騒音を低減させたいときに行うコースである。本発明のサイレント洗浄コースでは、上述したように、洗浄工程→すすぎ工程１（最初のすすぎ工程）→すすぎ工程２→すすぎ工程３（最後のすすぎ工程）の順で食器洗浄機１の運転が行われる。なお、図９では、説明の便宜上、洗浄工程からすすぎ工程について説明し、図９に示す洗浄工程前の工程、およびすすぎ工程後の工程についての説明は省略する。
【０１３０】
図９に示すようにサイレント洗浄コースでは、標準洗浄コース、ハイパワー洗浄コースのように、予備洗浄工程を行っていない。すなわち、上述したように、サイレント洗浄コースでは、静音洗浄工程→静音すすぎ工程１（最初のすすぎ工程）→静音すすぎ工程２→静音すすぎ工程３（最後のすすぎ工程）の順で食器洗浄機１の運転が行われる。このように、サイレント洗浄コースでは、予備洗浄工程を行わないので、予備洗浄工程で発生する洗浄ポンプ６ａの洗浄ポンプ用駆動モータ（図示略）の駆動音や回転洗浄ノズル５から噴射される洗浄水の食器などへの衝突音などの洗浄騒音を解消することができる。図９では、静音洗浄工程において、洗浄槽２内の洗浄水が低水位になった状態から説明する。
【０１３１】
図９に示すように、静音洗浄工程では、洗浄槽２内の洗浄水の水位が低水位になっている状態で、温水ヒータ７により洗浄水貯水部１２の洗浄水が加熱されている。具体的には、洗浄水貯水部１２の洗浄水の温度（洗浄水温度目標値）が５０℃になるように、温水ヒータ７の出力が制御されている。また、洗浄工程では、洗浄ポンプ６ａが低速で連続的に運転され、回転洗浄ノズル５から連続的に洗浄水を噴射されている。
【０１３２】
このように、静音洗浄工程における温水ヒータ７の出力（温度目標値５０℃）を、標準洗浄工程の温水ヒータ７の出力（温度目標値６０℃）よりも低くなるように制御しているので、洗浄性能を犠牲にすることなく消費電力を軽減することができる。すなわち、長くなったすすぎ工程の工程時間の一部を静音洗浄工程に割り振る形で静音洗浄工程の工程時間（４４分）を標準洗浄工程の工程時間（１５分）よりも十分に長く設定しているので、その工程時間が長くなった分、洗浄水貯水部１２に貯水されている洗浄水が温水ヒータ７により長く加熱され、静音洗浄工程における温水ヒータ７の出力を、標準洗浄工程の温水ヒータ７の出力よりも低くなるように制御しても、確実に活性化温度（５０℃〜５５℃）に近づけることができる。これにより、無用なエネルギー投入を抑制でき、静音洗浄工程における消費電力を軽減することができる。
【０１３３】
また、静音洗浄工程における温水ヒータ７の出力を、標準洗浄工程の温水ヒータ７の出力よりも低くしても、静音洗浄工程の工程時間（４４分）を標準洗浄工程の工程時間（１５分）よりも長くしているので、その工程時間が長くなった分、食器に付着している汚れに洗浄水を十分接触させることができ、食器に付着している残菜などが膨潤し、食器に付着している汚れを容易に洗い落とすことができる。これにより、十分な洗浄性能を確保することができる。
【０１３４】
そして、その後、静音洗浄工程の工程時間（４４分）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、静音洗浄工程が終了する。そして、静音洗浄工程に続いて、静音すすぎ工程が行われる。
【０１３５】
次に、静音すすぎ工程について説明する。静音すすぎ工程では、上述したように、静音すすぎ工程１（最初のすすぎ工程）、静音すすぎ工程２、静音すすぎ工程３のそれぞれ独立した３つのすすぎ工程が連続して行われる。
【０１３６】
まず、静音すすぎ工程１では、給水弁９が開かれ、洗浄槽２内に洗浄水が供給され、水量検出センサ１０により低水位になったことが検出されると、制御手段２８により給水弁９が閉止される。そして、給水弁９が閉止された状態で、洗浄ポンプ６ａが低速で連続的に運転され、回転洗浄ノズル５から連続的に洗浄水が噴射される。なお、静音すすぎ工程１では、温水ヒータ７が「ＯＦＦ」なので、洗浄水貯水部１２に貯水されている洗浄水は加熱されていない。
【０１３７】
そして、その後、静音すすぎ工程１の工程時間（３０秒）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、静音すすぎ工程１が終了する。そして、静音すすぎ工程１に続いて、静音すすぎ工程２が行われる。
【０１３８】
静音すすぎ工程２は、上述したように静音すすぎ工程１と内容が同一であるので、説明は省略する。静音すすぎ工程２が終了すると、続いて、静音すすぎ工程３（最後のすすぎ工程）が行われる。
【０１３９】
静音すすぎ工程３では、給水弁９が開かれ、洗浄槽２内に洗浄水が供給され、水量検出センサ１０により低水位になったことが検出されると、制御手段２８により給水弁９が閉止される。そして、給水弁９が閉止された状態で、温水ヒータ７により洗浄水貯水部１２の洗浄水が加熱されている。具体的には、洗浄水貯水部１２の洗浄水の温度（洗浄水温度目標値）が６２℃になるように、温水ヒータ７の出力が制御されている。また、静音すすぎ工程３では、洗浄ポンプ６ａが低速で連続的に運転され、回転洗浄ノズル５から連続的に洗浄水が噴射される。
【０１４０】
そして、その後、静音すすぎ工程３の工程時間（１５分）が経過する少し前に、洗浄ポンプ６ａの運転が停止される。それと同時に、排水弁３１が開放され、排水ポンプ６ｂが駆動される。これにより、回転洗浄ノズル５から洗浄水が噴射されなくなり、洗浄水貯水部１２に貯水されている洗浄水が、排水ポンプ６ｂの駆動力により、食器洗浄機１の外部に排水される。そして、洗浄槽２内の洗浄水がすべて食器洗浄機１外に排水されると、排水弁３１が閉止されるとともに、排水ポンプ６ｂの運転も停止される。これにより、静音すすぎ工程３が終了する。
【０１４１】
このように、標準洗浄工程の工程時間（１５分）に対する静音洗浄工程の工程時間（４４分）の比率（４４／１５）を、標準すすぎ工程の工程時間（１１分）に対する静音すすぎ工程の工程時間（１６分）の比率（１６／１１）よりも大きくしているので、たとえ洗浄ポンプ６ａの出力を低下させても、食器に付着している汚れが洗浄水に長く浸され、食器に付着している残菜などの汚れが膨潤することにより、食器に付着している汚れを容易に洗い落とすことができる。これにより、洗浄ポンプ６ａの出力を低下させても、静音洗浄工程で十分な洗浄性能が確保できる。つまり、標準洗浄工程のように洗浄ポンプ６ａの出力が高い場合には、回転洗浄ノズル５から高い噴射圧の洗浄水を噴射させて、食器に付着している残菜などの汚れを剥ぎ取ることができるが、静音洗浄工程にように洗浄ポンプ６ａの出力を低下させている場合には、食器に付着している汚れを剥ぎ取るという効果が期待できない。この場合でも、静音洗浄工程では、長くなったすすぎ工程の工程時間の一部を静音洗浄工程に割り振る形で標準洗浄工程の工程時間に対する静音洗浄工程の工程時間の比率を、標準すすぎ工程の工程時間に対する静音すすぎ工程の工程時間の比率よりも大きくしているので、たとえ洗浄ポンプ６ａの出力を低下させても、食器に付着している汚れが洗浄水に長く浸され、食器に付着している残菜などの汚れが膨潤することにより、食器に付着している汚れを容易に洗い落とすことができる。このように、静音洗浄工程では、食器に付着している汚れを剥ぎ取るのでなく、食器に付着している残菜などの汚れを膨潤させて、食器に付着している汚れを洗い流すことができる。
【０１４２】
また、静音すすぎ工程では、静音洗浄工程で食器に付着している残菜などの汚れを除去していれば、あとは、食器に付着している洗剤などを除去するだけであることから、たとえ洗浄ポンプ６ａの出力を低下させても、十分に食器に付着している洗剤などを除去することができる。このことから、長くなったすすぎ工程の工程時間の一部を静音洗浄工程に割り振ることにより静音洗浄工程で食器に付着している汚れをしっかり洗浄することができ、必要な洗浄性能が確保できるとともに、静音すすぎ工程においても必要なすすぎ性能を確保することができる。
【０１４３】
さらに、静音すすぎ工程は、標準すすぎ工程と比較して、３つの静音すすぎ工程のうち最後の静音すすぎ工程（静音すすぎ工程３）のみ工程時間を長くしているので、静音すすぎ工程の総工程時間を無用に長くすることがなく、静音すすぎ工程において必要なすすぎ性能を確保することができる。すなわち、すすぎ工程の最後のすすぎ工程以外のすすぎ工程（標準すすぎ工程１、標準すすぎ工程２）では、大雑把に食器などに付着している汚れや洗剤を流し落とすことと、その流し落とされた洗剤などを含んだ洗浄水を排水し、綺麗な洗浄水と入れ替えることだけに注力させることから工程時間を長くせず、一方、最後のすすぎ工程（静音すすぎ工程３）では、綺麗な洗浄水で食器などに付着している汚れ（油分も含む）のみならず洗剤をも確実に集中して流し落とすために工程時間を長くしている。これにより、すすぎ工程の工程時間を無用に長くすることなく、必要なすすぎ性能を確保することができる。また、すすぎ工程の初期段階では、洗剤などにより洗浄水が泡立ち、その気泡が洗浄水とともに洗浄ポンプ６ａに圧送されることによりポンプ圧が低くなるが、最後のすすぎ工程（静音すすぎ工程３）では、洗浄水内にほとんど気泡が存在しないためポンプ圧が高くなり、食器に付着している汚れや洗剤を完全に除去するためには、この最後のすすぎ工程（静音すすぎ工程３）の工程時間を長くするのが有効である。
【０１４４】
また、標準洗浄工程の温水ヒータ７の出力（温度目標値６０℃）に対する静音洗浄工程の温水ヒータ７の出力（温度目標値５０℃）の比率を、標準すすぎ工程の温水ヒータ７の出力（温度目標値６５℃）に対する静音すすぎ工程の温水ヒータ７の出力（温度目標値６２℃）の比率よりも小さくしているので、洗浄性能およびすすぎ性能を犠牲にすることなく消費電力を軽減することができる。すなわち、上述したように、長くなったすすぎ工程の工程時間の一部を静音洗浄工程に割り振る形で標準洗浄工程の工程時間（１５分）に対する静音洗浄工程の工程時間（４４分）の比率（４４／１５）を、標準すすぎ工程の工程時間（１１分）に対する静音すすぎ工程の工程時間（１６分）の比率（１６／１１）よりも大きくして、静音洗浄工程の工程時間を長くしているので、静音洗浄工程の工程時間配分が長くなった分、洗浄水貯水部１２に貯水されている洗浄水が温水ヒータ７により長く加熱され、標準洗浄工程の温水ヒータ７の出力に対する静音洗浄工程の温水ヒータ７の出力の比率を、標準すすぎ工程の温水ヒータ７の出力に対する静音すすぎ工程の温水ヒータ７の出力の比率よりも小さくしても、確実に活性化温度（５０℃〜５５℃）に近づけることができる。これにより、無用なエネルギー投入を抑制でき、静音洗浄工程における消費電力を軽減することができる。
【０１４５】
またその反面、標準洗浄工程の温水ヒータ７の出力（温度目標値６０℃）に対する静音洗浄工程の温水ヒータ７の出力（温度目標値５０℃）の比率を、標準すすぎ工程の温水ヒータ７の出力（温度目標値６５℃）に対する静音すすぎ工程の温水ヒータ７の出力（温度目標値６２℃）の比率よりも小さくしても、標準洗浄工程の工程時間（１５分）に対する静音洗浄工程の工程時間（４４分）の比率（４４／１５）を、標準すすぎ工程の工程時間（１１分）に対する静音すすぎ工程の工程時間（１６分）の比率（１６／１１）よりも大きくして、静音洗浄工程の工程時間配分を長くしているので、その工程時間配分が長くなった分、食器に付着している汚れが温水ヒータ７により加熱された洗浄水に長く浸されるため、食器に付着している残菜などの汚れが膨潤し、食器に付着している汚れを容易に洗い落とすことができる。これにより、十分な洗浄性能を確保することができる。
【０１４６】
また逆に、すすぎ工程では、静音すすぎ工程での温水ヒータ７の出力の低下を抑制することで、洗浄水が高温になって食器に付着している洗剤が洗浄水に溶け込みやすくなり、食器に付着している汚れや洗剤を完全に除去することができる。これにより、洗浄時間を無用に延長することなく、高いすすぎ性能を確保できる。
【０１４７】
次に、図９に示すサイレント洗浄コースの予約時間登録時について説明する。この予約時間登録時は、上述したように、使用者により、図２に示す操作パネル３０の洗浄コース選択スイッチ３０ｃにより「サイレント洗浄コース」が選択設定され、さらに予約時間選択スイッチ３０ｅにより「２時間後予約」または「４時間後予約」が選択設定され、その予約時間が登録されたときに行われる。
【０１４８】
図９に示すように、サイレント洗浄コースの予約時間登録時では、予備洗浄工程を行わない。これは、サイレント洗浄コース（予約時間登録なし）で予備洗浄工程を行わないのと同様、予備洗浄工程で発生する洗浄ポンプ６ａの洗浄ポンプ用駆動モータ（図示略）の駆動音や回転洗浄ノズル５から噴射される洗浄水の食器などへの衝突音などの洗浄騒音を解消させるためである。このように、サイレント洗浄コースの予約時間登録時では、予備洗浄工程を行わず、その分、静音洗浄工程の工程時間が、「２時間後予約」では２０分延長され、「４時間後予約」では３０分延長され、また、静音すすぎ工程の工程時間が、「２時間後予約」では１０分延長され、「４時間後予約」では１０分延長されている。
【０１４９】
このように、予約時間登録時において洗浄時間が延長されるのは、予約時間登録時では、食器などに残菜などが付着されたまま、数時間放置され、汚れが乾燥して固まってしまい、落ちにくくなるので、その分、静音洗浄工程の工程時間を長くして、食器などにこびりついた汚れを十分に洗い落とすためである。これにより、たとえ食器などに残菜などがこびりついた状態で、数時間放置された場合でも、食器などにこびりついた汚れなどを確実に洗い落とすことができる。
【０１５０】
また、予約時間選択スイッチ３０ｅにより静音洗浄コースの運転開始時間（「２時間後」または「４時間後」）が選択設定された場合の静音洗浄工程の延長時間（２時間後予約のときは「２０分」、４時間後予約のときは「３０分」）を、予約時間選択スイッチ３０ｅにより標準洗浄コースの運転開始時間が設定された場合の標準洗浄工程の延長時間（２時間後予約のときは「１０分」、４時間後予約のときは「２０分」）よりも長くしているので、洗浄ポンプ６ａの出力を低下させても、食器などにこびりついた残菜などを確実に流し落とすことができる。
【０１５１】
また、サイレント洗浄コースの予約時間登録時では、静音洗浄工程、静音すすぎ工程の延長時間において、温水ヒータ７により洗浄水貯水部１２の洗浄水が加熱されている。具体的には、予約時間選択スイッチ３０ｅにより静音洗浄コースの「２時間後予約」が選択設定された場合の静音洗浄工程の延長時間では、洗浄水貯水部１２の洗浄水の温度（洗浄水温度目標値）が７０℃になるように温水ヒータ７の出力が制御され、また、静音すすぎ工程の延長時間では、洗浄水貯水部１２の洗浄水の温度（洗浄水温度目標値）が８０℃になるように温水ヒータ７の出力が制御されている。また、予約時間選択スイッチ３０ｅにより静音洗浄コースの「４時間後予約」が選択設定された場合の静音洗浄工程の延長時間では、洗浄水貯水部１２の洗浄水の温度（洗浄水温度目標値）が８０℃になるように温水ヒータ７の出力が制御され、また、静音すすぎ工程の延長時間では、洗浄水貯水部１２の洗浄水の温度（洗浄水温度目標値）が８０℃になるように温水ヒータ７の出力が制御されている。
【０１５２】
このように、予約時間選択スイッチ３０ｅにより静音洗浄コースの運転開始時間（「２時間後」または「４時間後」）が選択設定された場合には、静音洗浄工程の工程時間が延長され、さらに、静音洗浄工程の延長時間の温水ヒータ７の出力（２時間後予約のときの温度目標値は「７０℃」、４時間後予約のときの温度目標値は「８０℃」）を、予約時間選択スイッチ３０ｅにより静音洗浄コースの運転開始時間が設定されない場合における静音洗浄工程の温水ヒータ７の出力（温度目標値は「５０℃」）よりも高くなるように制御されるので、洗浄ポンプ６ａの出力を低下させても、食器などにこびりついた残菜などを確実に洗い落とすことができる。
【０１５３】
また、予約時間選択スイッチ３０ｅにより静音洗浄コースの運転開始時間が選択設定された場合には、静音すすぎ工程の３つのすすぎ工程のうちの最後のすすぎ工程（静音すすぎ工程３）の工程時間が延長されるので、静音すすぎ工程の総工程時間を無用に長くすることがなく、静音すすぎ工程において必要な洗浄性能を確保することができる。すなわち、すなわち、すすぎ工程の最後のすすぎ工程以外のすすぎ工程（静音すすぎ工程２、静音すすぎ工程３）では、大雑把に食器に付着している汚れや洗剤を流し落とすことと、その長い落とされた洗剤などを含んだ洗浄水を排水し、綺麗な洗浄水と入れ替えることだけに注力させることから工程時間を延長することなく洗浄水を加熱せず、一方、最後のすすぎ工程（すすぎ工程３）では、高温の洗浄水で食器に付着している汚れ（油分も含む）のみならず洗剤をも確実に集中して流し落とすために工程時間を延長しながら洗浄水を加熱して、長い時間高温の洗浄水を食器に噴射させている。よって、最後のすすぎ工程（すすぎ工程３）で、食器に付着している洗剤が洗浄水に溶け込みやすくなり、食器に付着している洗剤が流し落としやすくなる。これにより、予約時間設定時においても、必要なすすぎ性能を確保することができるとともに、すすぎ工程の工程時間を無用に長くすることもない。また、すすぎ工程の初期段階では、洗剤などにより洗浄水が泡立ち、その気泡が洗浄水とともにポンプに圧送されることによりポンプ圧が低くなるが、最後のすすぎ工程（すすぎ工程３）では、洗浄水内にほとんど気泡が存在しないためポンプ圧が高くなり、食器に付着している汚れや洗剤を完全に除去するためには、この最後のすすぎ工程（すすぎ工程３）の工程時間を延長しながら洗浄水を加熱するのが有効である。
【０１５４】
さらに、予約時間選択スイッチ３０ｅにより静音洗浄コースの運転開始時間が選択設定された場合には、静音すすぎ工程の延長時間の温水ヒータ７の出力（２時間後予約のときの温度目標値は「７０℃」、４時間後予約のときの温度目標値は「８０℃」）を、予約時間選択スイッチ３０ｅにより静音洗浄コースの運転開始時間が設定されない場合における静音すすぎ工程の温水ヒータ７の出力（温度目標値は「６２℃」）よりも高くなるように制御されるので、食器に付着している洗剤が洗浄水に溶け込みやすくなり、食器に付着している洗剤が流し落としやすくなる。よって、洗浄ポンプ６ａの出力を低下させても、食器に付着している洗剤を容易に流し落とすことができる。これにより、予約時間設定時においても、必要なすすぎ性能を確保することができる。さらに、仮に静音洗浄工程で、食器にこびりついた残菜などが洗い落とされなかったとしても、予約時間選択スイッチ３０ｅにより静音洗浄コースの運転開始時間が設定された場合には、静音すすぎ工程の延長時間の温水ヒータ７の出力を、予約時間選択スイッチ３０ｅにより静音洗浄コースの運転開始時間が設定されない場合における静音すすぎ工程の温水ヒータ７の出力よりも高くしているので、この静音すすぎ工程で確実に洗い落とすことができ、静音洗浄工程の時間を必要以上に長くする必要がなく、静音洗浄工程と静音すすぎ工程の総工程時間も無用に長くすることがない。
【０１５５】
次に、本発明の第２実施形態における食器洗浄機について図１０を参照にしながら説明する。 図１０は、本発明の第２実施形態における食器洗浄機の洗浄コースの詳細を示す図である。なお、図１〜図９と同一構造、機能を有するものについては、同一の符号を付し、同一の作用効果を奏するものとして、説明が省略する。なお、図１０では、図１〜図９と異なる部分についてのみ説明する。
【０１５６】
本発明の第２実施態様の食器洗浄機と第１実施態様の食器洗浄機の違いは、本発明の第１実施態様では洗浄水温度目標値をそれぞれの工程において一定値（図９参照）としたのに対し、第２実施態様ではそれぞれの工程をさらに「０〜Ｔ１」「Ｔ１〜Ｔ２」「Ｔ２以降」の３つの区分に分割し、それぞれの区分において洗浄水温度目標値を設定しているところである。
【０１５７】
まず、第２実施形態における食器洗浄機の標準洗浄コースの各工程の洗浄水温度目標値について説明する。図１０に示すように、標準洗浄コースの予備洗浄工程では、洗浄水貯水部１２の洗浄水の温度（洗浄水温度目標値）が、それぞれ「０〜Ｔ１」で６５℃、「Ｔ１〜Ｔ２」で６５℃、「Ｔ２以降」で６５℃になるように温水ヒータ７の出力が制御され、標準洗浄工程では、洗浄水貯水部１２の洗浄水の温度（洗浄水温度目標値）が、それぞれ「０〜Ｔ１」で７０℃、「Ｔ１〜Ｔ２」で６５℃、「Ｔ２以降」で６５℃になるように温水ヒータ７の出力が制御され、標準すすぎ工程１、標準すすぎ工程２では、第１実施態様と同様に温水ヒータ７を「ＯＦＦ」とし、標準すすぎ工程３では、洗浄水貯水部１２の洗浄水の温度（洗浄水温度目標値）が「０〜Ｔ１」で７０℃、「Ｔ１〜Ｔ２」で７０℃、「Ｔ２以降」で６５℃になるように温水ヒータ７の出力が制御されている。
【０１５８】
ここで、第２実施形態の食器洗浄機で、各工程の工程開始初期の洗浄水温度目標値を高くしているのは、工程開始初期の段階では、食器などの温度が下がっており、この状態で回転洗浄ノズル５から洗浄水を噴射させても、食器などに洗浄水の熱が奪われ、洗浄水の温度が所望の温度になりにくいからである。そのために、各工程の工程開始初期の段階では、洗浄水温度目標値が少し高めに設定され、洗浄水の温度を所望の温度に早く近づけようとしている。
【０１５９】
次に、第２実施形態における食器洗浄機のハイパワー洗浄コースの各工程の洗浄水温度目標値について説明する。なお、ハイパワー洗浄コースの各工程の工程時間は、上述したように標準洗浄コースの各工程の工程時間を２倍にしたものであるので、図１０に示すハイパワー洗浄コースの各工程における「０〜Ｔ１」「Ｔ１〜Ｔ２」「Ｔ２以降」の各区分の時間も、標準洗浄コースの「０〜Ｔ１」「Ｔ１〜Ｔ２」「Ｔ２以降」の各区分の時間の２倍になっている。
【０１６０】
図１０に示すように、ハイパワー洗浄コースの予備洗浄工程では、標準洗浄コースの予備洗浄工程と同様に、洗浄水貯水部１２の洗浄水の温度（洗浄水温度目標値）が、それぞれ「０〜Ｔ１」で６５℃、「Ｔ１〜Ｔ２」で６５℃、「Ｔ２以降」で６５℃になるように温水ヒータ７の出力が制御され、標準洗浄工程では、洗浄水貯水部１２の洗浄水の温度（洗浄水温度目標値）が、それぞれ「０〜Ｔ１」で８０℃、「Ｔ１〜Ｔ２」で８０℃、「Ｔ２以降」で８０℃になるように温水ヒータ７の出力が制御されている。そして、すすぎ工程３では、洗浄水貯水部１２の洗浄水の温度（洗浄水温度目標値）が、それぞれ「０〜Ｔ１」で８０℃、「Ｔ１〜Ｔ２」で８０℃、「Ｔ２以降」で８０℃になるように、温水ヒータ７の出力が制御されている。
【０１６１】
このように、ハイパワー洗浄コースでは、工程開始初期のみならず、「Ｔ２以降」も洗浄水温度目標値（８０℃）を高く設定することにより、食器の量が多い場合や食器に油分が多い残菜が付着している場合でも、食器などに付着している汚れを確実に洗い流すことができる。
【０１６２】
次に、第２実施形態における食器洗浄機の静音洗浄コースの各工程の洗浄水温度目標値について説明する。なお、図１０に示す静音洗浄コースの各工程における「０〜Ｔ１」「Ｔ１〜Ｔ２」「Ｔ２以降」の各区分の時間は、標準洗浄コースやハイパワー洗浄コースの「０〜Ｔ１」「Ｔ１〜Ｔ２」「Ｔ２以降」と関係がなく、静音洗浄工程の各工程において独自に定められている。
【０１６３】
図１０に示すように、サイレント洗浄コースの静音洗浄工程では、洗浄水貯水部１２の洗浄水の温度（洗浄水温度目標値）が、それぞれ「０〜Ｔ１」で５０℃、「Ｔ１〜Ｔ２」で５０℃、「Ｔ２以降」で５０℃になるように温水ヒータ７の出力が制御され、静音すすぎ工程３では、洗浄水貯水部１２の洗浄水の温度（洗浄水温度目標値）が、それぞれ「０〜Ｔ１」で７０℃、「Ｔ１〜Ｔ２」で６０℃、「Ｔ２以降」で６０℃になるように温水ヒータ７の出力が制御されている。
【０１６４】
このように、静音洗浄工程における温水ヒータ７の出力（温度目標値５０℃→５０℃→５０℃）を、標準洗浄工程の温水ヒータ７の出力（温度目標値７０℃→６５℃→５５℃）よりも低くなるように制御しているので、洗浄性能を犠牲にすることなく消費電力を軽減することができる。すなわち、長くなったすすぎ工程の工程時間の一部を静音洗浄工程に割り振る形で静音洗浄工程の工程時間（４４分）を標準洗浄工程の工程時間（１５分）よりも十分に長く設定しているので、その工程時間が長くなった分、洗浄水貯水部に貯水されている洗浄水が温水ヒータにより長く加熱され、静音洗浄工程における温水ヒータ７の出力を、標準洗浄工程の温水ヒータ７の出力よりも低くなるように制御しても、確実に活性化温度（５０℃〜５５℃）に近づけることができる。これにより、無用なエネルギー投入を抑制でき、静音洗浄工程における消費電力を軽減することができる。
【０１６５】
また、静音洗浄工程における温水ヒータ７の出力（温度目標値５０℃→５０℃→５０℃）を、標準洗浄工程の温水ヒータ７の出力（温度目標値７０℃→６５℃→５５℃）よりも低くしても、静音洗浄工程の工程時間（４４分）を標準洗浄工程の工程時間（１５分）よりも長くしているので、その工程時間が長くなった分、食器に付着している汚れに洗浄水を十分接触させることができ、食器に付着している残菜などが膨潤し、食器に付着している汚れを容易に洗い落とすことができる。これにより、十分な洗浄性能を確保することができる。
【０１６６】
また、標準洗浄工程の温水ヒータ７の出力（温度目標値７０℃→６５℃→５５℃）に対する静音洗浄工程の温水ヒータ７の出力（温度目標値５０℃→５０℃→５０℃）の比率を、標準すすぎ工程の温水ヒータ７の出力（温度目標値７０℃→７０℃→６０℃）に対する静音すすぎ工程の温水ヒータ７の出力（温度目標値７０℃→６０℃→６０℃）の比率よりも小さくしているので、洗浄性能およびすすぎ性能を犠牲にすることなく消費電力を軽減することができる。すなわち、上述したように、長くなったすすぎ工程の工程時間の一部を静音洗浄工程に割り振る形で標準洗浄工程の工程時間（１５分）に対する静音洗浄工程の工程時間（４４分）の比率（４４／１５）を、標準すすぎ工程の工程時間（１１分）に対する静音すすぎ工程の工程時間（１６分）の比率（１６／１１）よりも大きくして、静音洗浄工程の工程時間を長くしているので、静音洗浄工程の工程時間配分が長くなった分、洗浄水貯水部１２に貯水されている洗浄水が温水ヒータ７により長く加熱され、標準洗浄工程の温水ヒータ７の出力に対する静音洗浄工程の温水ヒータ７の出力の比率を、標準すすぎ工程の温水ヒータ７の出力に対する静音すすぎ工程の温水ヒータ７の出力の比率よりも小さくしても、確実に活性化温度（５０℃〜５５℃）に近づけることができる。これにより、無用なエネルギー投入を抑制でき、静音洗浄工程における消費電力を軽減することができる。
【０１６７】
またその反面、標準洗浄工程の温水ヒータ７の出力（温度目標値７０℃→６５℃→５５℃）に対する静音洗浄工程の温水ヒータ７の出力（温度目標値５０℃→５０℃→５０℃）の比率を、標準すすぎ工程の温水ヒータ７の出力（温度目標値７０℃→７０℃→６０℃）に対する静音すすぎ工程の温水ヒータ７の出力（温度目標値７０℃→６０℃→６０℃）の比率よりも小さくしても、標準洗浄工程の工程時間（１５分）に対する静音洗浄工程の工程時間（４４分）の比率（４４／１５）を、標準すすぎ工程の工程時間（１１分）に対する静音すすぎ工程の工程時間（１６分）の比率（１６／１１）よりも大きくして、静音洗浄工程の工程時間配分を長くしているので、その工程時間配分が長くなった分、食器に付着している汚れが温水ヒータ７により加熱された洗浄水に長く浸されるため、食器に付着している残菜などの汚れが膨潤し、食器に付着している汚れを容易に洗い落とすことができる。これにより、十分な洗浄性能を確保することができる。
【０１６８】
また逆に、すすぎ工程では、静音すすぎ工程での温水ヒータ７の出力の低下を抑制することで、洗浄水が高温になって食器に付着している洗剤が洗浄水に溶け込みやすくなり、食器に付着している汚れや洗剤を完全に除去することができる。これにより、洗浄時間を無用に延長することなく、高いすすぎ性能を確保できる。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１７０】
以下、本発明の変形例について説明する。
（１）  本実施形態では、操作パネル３０の運転開始停止スイッチ３０ｂが押圧されるごとに、「洗浄なし」→「標準」→「ハイパワー」→「サイレント」の順に発光素子の点灯を順次移動させて、洗浄コースが選択設定されると説明したが、これに限らず、運転開始停止スイッチ３０ｂが継続して押圧されることにより、洗浄コース表示部３０ｇの発光素子の点灯が順次「洗浄なし」→「標準」→「ハイパワー」→「サイレント」→「洗浄なし」のように移動し、そして、運転開始停止スイッチ３０ｂの押圧が解除されることにより、洗浄コースが選択設定されるようにしてもよい。また、洗浄コース選択スイッチ３０ｃ、乾燥コース選択スイッチ３０ｄ、予約時間選択スイッチ３０ｅ、換気コース選択スイッチ３０ｆについても、同様の方法で、それぞれのコースを選択設定できるとしてもよい。
【０１７１】
（２）  本実施形態では、高水位を残菜フィルター１８の上方で回転洗浄ノズル５の付け根の中間付近と説明したが、これに限らず、回転洗浄ノズル５の付け根の上端部より下部で、低水位よりも高い水位であれば、いかなる水位を高水位としてもよい。
【０１７２】
（３）  本実施形態では、予約時間選択スイッチ３０を、食器洗浄機1の運転を開始させる時間をあらかじめ予約するためのスイッチと説明したが、これに限らず、予約時間選択スイッチ３０を、食器洗浄機１の運転を終了させる時間をあらかじめ予約するためのスイッチとしてもよい。この場合、２時間後予約は、２時間後に食器洗浄機１の運転が終了するように食器洗浄機１を運転させることをあらかじめ予約するものとなり、また、４時間後予約は、４時間後に食器洗浄機１の運転が終了するように食器洗浄機１を運転させることをあらかじめ予約するものとなる。
【図面の簡単な説明】
【０１７３】
【図１】本発明の一実施形態における食器洗浄機の内部構造を示す図である。
【図２】本発明の一実施形態のおける食器洗浄機の操作パネルを示す図である。
【図３】本発明の一実施形態における食器洗浄機の電気的構成を示すブロック図である。
【図４】回転洗浄ノズルから噴射される洗浄水の温度と食器などに付着している油汚れの汚れ残り率の関係を示す図である。
【図５】回転洗浄ノズルから噴射される洗浄水の温度と食器などに付着したでんぷん汚れの汚れ残り率の関係を示す図である。
【図６】回転洗浄ノズルから噴射される洗浄水の温度と食器などに付着しているタンパク汚れの汚れ残り率の関係を示す図である。
【図７】本発明の一実施形態における食器洗浄機の標準洗浄コースの運転内容を示す図である。
【図８】発明の一実施形態における食器洗浄機のサイレント洗浄コースの運転内容を示す図である。
【図９】本発明の一実施形態における食器洗浄機の洗浄コースの詳細を示す図である。
【図１０】本発明の第２実施形態における食器洗浄機の洗浄コースの詳細を示す図である。
【符号の説明】
【０１７４】
１  食器洗浄機
２  洗浄槽
５  回転洗浄ノズル
６  ポンプ
６ａ  洗浄ポンプ
６ｂ  排水ポンプ
７  温水ヒータ
９  給水弁
１０  水量検出センサ  
１２  洗浄水貯水部  
１３  導水口
１３ａ  洗浄ポンプ導水口
１３ｂ  排水ポンプ導水口
１９  給水口
２４  排出管
２８  制御手段
３０ｅ  予約時間選択スイッチ
３１  排水弁
【図１】
2008006138.tif 000003
【図２】
2008006138.tif 000004
【図３】
2008006138.tif 000005
【図４】
2008006138.tif 000006
【図５】
2008006138.tif 000007
【図６】
2008006138.tif 000008
【図７】
2008006138.tif 000009
【図８】
2008006138.tif 000010
【図９】
2008006138.tif 000011
【図１０】
2008006138.tif 000012